(57)【要約】  セルクラスタ変更方法、基地局及びユーザ装置を提供する。該方法は、セルの基地局が、受信したネットワーク側制御器の送信した指示情報に基づいて、ターゲットセルへの申請を行うことで、該セルを１つのセルクラスタに加入させ、或いは、該セルを該セルの所在するセルクラスタから離れさせ、或いは、該セルを該セルの所在するセルクラスタからもう１つのセルクラスタに変更させることを含む。実施例から分かるように、１つのセルが１つのセルクラスタに加入し、或いは、１つのセルクラスタから離れ、或いは、１つのセルクラスタからもう１つのセルクラスタに変わるようにさせることで、セルクラスタを動に変化させることができる。従って、セルクラスタ内の強化メカニズムによって利益を得ることができる。
2016530836.tif 000002
【特許請求の範囲】
【請求項１】
セルクラスタ変更方法であって、
セルの基地局は、受信した、ネットワーク側制御器が送信した指示情報に基づいて、前記セルを１つのセルクラスタに加入させ、或いは、前記セルを前記セルの所在するセルクラスタを離れさせ、或いは、前記セルを前記セルの所在するセルクラスタからもう１つのセルクラスタに変更させることを含む、方法。
【請求項２】
請求項1に記載の方法であって、
前記セルの基地局は、前記ネットワーク側制御器に要求メッセージを送信することを更に含み、
前記要求メッセージは、前記セルが１つのセルクラスタに加入し、或いは、前記セルが前記セルの所在するセルクラスタを離れ、或いは、前記セルが前記セルの所在するセルクラスタからもう１つのセルクラスタに変更するように要求することを指示するために用いられる、方法。
【請求項３】
セルクラスタ変更方法であって、
ネットワーク側制御器は、セルの基地局に指示情報を送信することを含み、
前記指示情報は、前記セルが１つのセルクラスタに加入し、或いは、前記セルが前記セルの所在するセルクラスタを離れ、或いは、前記セルが前記セルの所在するセルクラスタからもう１つのセルクラスタに変更することを指示するために用いられる、方法。
【請求項４】
請求項3に記載の方法であって、
前記セルが送信した要求メッセージを受信し、前記要求メッセージは、前記セルが１つのセルクラスタに加入し、或いは、前記セルが前記セルの所在するセルクラスタを離れ、或いは、前記セルが前記セルの所在するセルクラスタからもう１つのセルクラスタに変更するように要求することを指示し；及び
前記ネットワーク側制御器は、前記要求メッセージに基づいて、前記指示情報を送信することを更に含む、方法。
【請求項５】
請求項3に記載の方法であって、
前記ネットワーク側制御器は、前記セルの所在するセルクラスタ中の他のセルに、前記セルが前記セルクラスタを離れ、及び／又は、前記セルが前記セルクラスタに加入することを通知することを更に含み、
前記セルの所在するセルクラスタは、前記セルが既に離れた又は離れるつもりであるセルクラスタ、及び／又は、前記セルが加入するセルクラスタを含む、方法。
【請求項６】
セルクラスタ変更方法であって、
セルの基地局は、ネットワーク側制御器又はターゲットセルにメッセージを送信し、前記メッセージは、前記セルが前記ターゲットセルの所在するセルクラスタに加入し、及び／又は、前記ターゲットセルの所在するセルクラスタを離れることを指示するために用いられ、前記ターゲットセルは、前記セルが加入するつもりであるセルクラスタ中の１つ又は１つ以上のセル、及び／又は、前記セルが離れるつもりであるセルクラスタ中の他の１つ又は１つ以上のセルを含み；及び
前記セルの基地局は、前記メッセージを送信した後に、或いは、前記ターゲットセルからの許可確認メッセージを受信した時に、前記セルを前記ターゲットセルの所在するセルクラスタに加入させ、及び／又は、前記ターゲットセルの所在するセルクラスタから離れさせる、方法。
【請求項７】
請求項6に記載の方法であって、
前記セルの基地局は、前記セルに隣接する隣接セル、或いは、前記セルと同じであるセルクラスタに所在する他のセルに、前記セルの所在するセルクラスタの変化を示すためのメッセージを送信することを更に含み、
前記セルの所在するセルクラスタは、前記セルが既に離れた又は離れるつもりであるセルクラスタ、及び／又は、前記セルが加入するセルクラスタを含む、方法。
【請求項８】
セルクラスタ変更方法であって、
ターゲットセルは、セルの基地局が送信したメッセージを受信することを含み、
前記メッセージは、前記セルが前記ターゲットセルの所在するセルクラスタに加入し、及び／又は、前記ターゲットセルの所在するセルクラスタを離れるように要求することを指示するために用いられ、
前記ターゲットセルは、前記セルが加入するつもりであるセルクラスタ中の１つ又は１つ以上のセル、及び／又は、前記セルが離れるつもりであるセルクラスタ中の他の１つ又は１つ以上のセルを含む、方法。
【請求項９】
セルクラスタ変更方法であって、
セルに隣接する隣接セル、或いは、前記セルと同じであるセルクラスタに所在する他のセルは、前記セルの基地局或いはターゲットセルの基地局が送信した、前記セルの所在するセルクラスタの変化を示すためのメッセージを受信し、前記ターゲットセルは、前記セルが加入するつもりであるセルクラスタ中の１つ又は１つ以上のセル、及び／又は、前記セルが離れるつもりであるセルクラスタ中の他の１つ又は１つ以上のセルを含み、前記セルの所在するセルクラスタは、前記セルが既に離れた又は離れるつもりであるセルクラスタ、及び／又は、前記セルが加入するセルクラスタを含み；及び
前記隣接セル又は前記他のセルは、前記隣接セル或いは前記他のセルの所在するセルクラスタの他のセルに、前記セルが前記セルクラスタを離れ、及び／又は、前記セルクラスタに加入すること、及び／又は、前記セルのセルクラスタの変化の状況を通知することを含む、方法。
【請求項１０】
請求項1又は6に記載の方法であって、
前記セルの所在するセルクラスタの変化後に、前記方法は、前記セルのセルクラスタIDを更新することを更に含む、方法。
【請求項１１】
請求項10に記載の方法であって、
前記セルのセルIDが前記セルの所在するセルクラスタに関係せず、或いは、前記セルのセルIDが前記セルの所在するセルクラスタに関係し且つ前記セルの基地局及びユーザ装置の送信した物理信号に関係しない時に、前記セルの基地局は、受信したシステム情報に含まれているセルクラスタIDを変更する、方法。
【請求項１２】
請求項1又は6に記載の方法であって、
前記セルの所在するセルクラスタの変化後に、前記セルのセルIDが前記セルの所在するセルクラスタに関係し且つ前記セルの基地局及びユーザ装置の送信した物理信号に関係する時に、前記方法は、
ユーザ装置に指示メッセージを送信し、前記指示メッセージは、前記セルID、及び／又は、関連する上りリンク及び／又は下りリンクの送信信号の変更を指示するために用いられ、前記指示メッセージは、変更後のセルID、及び／又は、前記セルID及び／又は関連する上りリンク及び／又は下りリンクの送信信号を変更する時間を含み；及び
前記セルの基地局は、前記時間に、前記セルID、及び／又は、関連する上りリンク及び／又は下りリンクの送信信号を変更することを更に含む、方法。
【請求項１３】
請求項1又は6に記載の方法であって、
前記セルの所在するセルクラスタの変化後に、前記セルのセルIDが前記セルの所在するセルクラスタに関係し且つ前記セルの基地局及びユーザ装置の送信した物理信号に関係する時に、前記方法は、
前記セルの基地局は、前記セルのユーザ装置を他のセルにハンドオーバーし；及び
セルIDを変更し、或いは、セルID及び対応するシステム情報及び／又はコモン信号を変更することを更に含む、方法。
【請求項１４】
請求項1又は6に記載の方法であって、
前記セルの所在するセルクラスタの変化後に、前記セルのセルIDが前記セルの所在するセルクラスタに関係し且つ前記セルの基地局及びユーザ装置の送信した物理信号に関係する時に、前記方法は、
前記セルの基地局は、セルの一部のサブフレーム上でのユーザ装置のスケジューリングを停止し；
前記一部のサブフレーム上で、変更後のセルIDに対応するシステム情報及び／又はコモン信号を送信し；及び
未変更のセルIDに対応するシステム情報及び／又はコモン信号を送信するサブフレームを変更し、これにより、全てのサブフレームは、変更後のセルIDに対応するシステム情報及び／又はコモン信号を送信することを更に含む、方法。
【請求項１５】
請求項14に記載の方法であって、
前記一部のサブフレーム上で、変更後のセルIDに対応するシステム情報及び／又はコモン信号を送信した後に、前記方法は、
変更後のセルIDに対応するシステム情報及びコモン信号を送信するサブフレーム上で前記ユーザ装置をスケジューリングすることを更に含み、
或いは、未変更のセルIDに対応するシステム情報及び／又はコモン信号を送信するサブフレームを変更した後に、前記方法は、
全てのサブフレーム上で、前記ユーザ装置をスケジューリングすることを更に含む、方法。
【請求項１６】
請求項14に記載の方法であって、
前記セルの基地局は、ユーザ装置がセルID変更後のセルを捜索し、そして、サブフレームのパターンを用いて前記セルID変更後のセルを測定するように構成し；或いは、
前記セルの基地局は、前記セルのユーザ装置をセルID変更のセルにハンドオーバーし、或いは、測定結果に基づいて、ハンドオーバーを行う必要のあるユーザ装置をセルID変更後のセル或いは他のセルにハンドオーバーすることを更に含む、方法。
【請求項１７】
請求項16に記載の方法であって、
前記セルの基地局は、前記ユーザ装置に補助情報を提供することを更に含み、
前記補助情報は、前記ユーザ装置がセルID未変更のセルを使用し得るタイミングを指示し、及び／又は、前記ユーザ装置がランダムアクセスプロセス中で元のセルの無線ネットワーク一時IDを用いてセルID変更後のセルにハンドオーバーし得ることを指示するために用いられ；或いは
前記補助情報は、前記ユーザ装置がセルID未変更のセルを使用し得るタイミングを指示し、前記ユーザ装置がランダムアクセスプロセス中で元のセルの無線ネットワーク一時IDを用いてセルID変更後のセルにハンドオーバーし得ること、及び、前記ユーザ装置がランダムアクセスプロセスを行わずセルID変更後のセルに直接アクセスすることを指示するために用いられる、方法。
【請求項１８】
情報受信方法であって、
セルの所在するセルクラスタの変化時に、ユーザ装置は、前記セルの基地局が送信した指示情報を受信し、前記指示メッセージは、セルID、及び／又は、関連する上りリンク及び／又は下りリンクの送信信号の変更を指示するために用いられ、前記指示メッセージは、変更後のセルID、及び／又は、前記セルID及び／又は関連する上りリンク及び／又は下りリンクの送信信号を変更する時間を含み；及び
前記指示メッセージが指示した前記時間に、前記変更後のセルIDを用いて、前記セルの基地局が送信したシステム情報、及び／又は、コモン信号、及び／又は、下りリンク制御信号を受信し、及び／又は、前記ユーザ装置の上りリンク信号中のセルIDに関係するスクランブリングシーケンス又は参照信号シーケンスを変更することを含む、方法。
【請求項１９】
情報受信方法であって、
セルの所在するセルクラスタの変化時に、前記セルから他のセルにハンドオーバーするユーザ装置は、前記他のセルの基地局が前記ユーザ装置に送信した補助情報を受信することを含み、
前記補助情報は、前記ユーザ装置がセルID未変更のセルを使用し得るタイミングを指示し、及び／又は、前記ユーザ装置がランダムアクセスプロセス中で元のセルの無線ネットワーク一時IDを用いてセルID変更後のセルにハンドオーバーし得ることを指示するために用いられ；或いは
前記補助情報は、前記ユーザ装置がセルID未変更のセルを使用し得るタイミングを指示し、及び、前記ユーザ装置がランダムアクセスプロセス中で元のセルの無線ネットワーク一時IDを用いてセルID変更後のセルにハンドオーバーし得ること、及び、前記ユーザ装置がランダムアクセスプロセスを行わずセルID変更後のセルに直接アクセスすることを指示するために用いられる、方法。
【請求項２０】
基地局であって、
受信した、ネットワーク側制御器により送信された指示情報に基づいて、セルを１つのセルクラスタに加入させ、或いは、セルを前記セルの所在するセルクラスタを離れさせ、或いは、セルを前記セルの所在するセルクラスタからもう１つのセルクラスタに変更させるための処理ユニットを含む、基地局。
【請求項２１】
請求項20に記載の基地局であって、
前記ネットワーク側制御器に要求メッセージを送信するための情報送信ユニットを更に含み、
前記要求メッセージは、前記セルが１つのセルクラスタに加入し、或いは、前記セルが前記セルの所在するセルクラスタを離れ、或いは、前記セルが前記セルの所在するセルクラスタからもう１つのセルクラスタに変更するように要求することを指示するために用いられる、基地局
【請求項２２】
制御器であって、
セルの基地局に指示情報を送信するための情報送信ユニットを含み、
前記指示情報は、前記セルが１つのセルクラスタに加入し、或いは、前記セルが前記セルの所在するセルクラスタを離れ、或いは、前記セルが前記セルの所在するセルクラスタからもう１つのセルクラスタに変更することを指示するために用いられる、制御器。
【請求項２３】
請求項22に記載の制御器であって、
前記セルが送信した要求メッセージを受信するための情報受信ユニットを更に含み、
前記要求メッセージは、前記セルが１つのセルクラスタに加入し、或いは、前記セルが前記セルの所在するセルクラスタを離れ、或いは、前記セルが前記セルの所在するセルクラスタからもう１つのセルクラスタに変更するように要求することを指示するために用いられ、
前記情報送信ユニットは、前記要求メッセージに基づいて、前記指示情報を送信する、制御器。
【請求項２４】
請求項22に記載の制御器であって、
前記セルの所在するセルクラスタ中の他のセルに、前記セルが前記セルクラスタを離れ、及び／又は、前記セルが前記セルクラスタに加入することを通知するための情報通知ユニットを更に含み、
前記セルの所在するセルクラスタは、前記セルが既に離れた又は離れるつもりであるセルクラスタ、及び／又は、前記セルが加入するセルクラスタを含む、制御器。
【請求項２５】
基地局であって、
ターゲットセル或いはネットワーク側制御器にメッセージを送信するための第一送信ユニットであって、前記メッセージは、前記基地局のセルが前記ターゲットセルの所在するセルクラスタに加入し、及び／又は、前記ターゲットセルの所在するセルクラスタを離れるように要求することを指示するために用いられ、前記ターゲットセルは、前記セルが加入するつもりであるセルクラスタ中の１つ又は１つ以上のセル、及び／又は、前記セルが離れるつもりであるセルクラスタ中の他の１つ又は１つ以上のセルを含む、第一送信ユニット；及び
前記メッセージを送信した後に、或いは、前記ターゲットセルからの許可確認メッセージを受信した時に、前記セルを前記ターゲットセルの所在するセルクラスタに加入させ、及び／又は、前記ターゲットセルの所在するセルクラスタから離れさせるための第一処理ユニットを含む、基地局。
【請求項２６】
請求項25に記載の基地局であって、
前記セルに隣接する隣接セル、或いは、前記セルと同じであるセルクラスタに所在する他のセルに、前記セルの所在するセルクラスタの変化を示すメッセージを送信するための第二送信ユニットを更に含み、
前記セルの所在するセルクラスタは、前記セルが既に離れた又は離れるつもりであるセルクラスタ、及び／又は、前記セルが加入するセルクラスタを含む、基地局。
【請求項２７】
基地局であって、
セルの基地局が送信したメッセージを受信するための受信ユニットを含み、
前記メッセージは、前記セルがターゲットセルの所在するセルクラスタに加入し、及び／又は、ターゲットセルの所在するセルクラスタを離れるように要求することを指示するために用いられ、
前記ターゲットセルは、前記セルが加入するつもりであるセルクラスタ中の１つ又は１つ以上のセル、及び／又は、前記セルが離れるつもりであるセルクラスタ中の他の１つ又は１つ以上のセルを含む、基地局。
【請求項２８】
基地局であって、
セルの基地局又はターゲットセルの基地局が送信した、前記セルの所在するセルクラスタの変化を示すためのメッセージを受信するための第一受信ユニットであって、前記ターゲットセルは、前記セルが加入するつもりであるセルクラスタ中の１つ又は１つ以上のセル、及び／又は、前記セルが離れるつもりであるセルクラスタ中の他の１つ又は１つ以上のセルを含み、前記セルの所在するセルクラスタは、前記セルが既に離れた又は離れるつもりであるセルクラスタ、及び／又は、前記セルが加入するセルクラスタを含む、第一受信ユニット；及び
前記基地局のセルに、前記セルが前記セルクラスタを離れ、及び／又は、前記セルクラスタに加入すること、及び／又は、前記セルのセルクラスタの変化の状況を通知するための第一通知ユニットを含む、基地局。
【請求項２９】
請求項20又は25に記載の基地局であって、
前記セルの所在するセルクラスタの変化後に、前記基地局は、
前記セルのセルクラスタIDを更新するための情報更新ユニットを更に含む、基地局。
【請求項３０】
請求項20又は25に記載の基地局であって、
前記セルの所在するセルクラスタの変化後に、前記セルのセルIDが前記セルの所在するセルクラスタに関係し且つ前記セルの基地局及びユーザ装置の送信した物理信号に関係する時に、前記基地局は、
ユーザ装置に指示メッセージを送信するための第三送信ユニットであって、前記指示メッセージは、前記セルID、及び／又は、関連する上りリンク及び／又は下りリンクの送信信号の変更を指示するために用いられ、前記指示メッセージは、変更後のセルID、及び／又は、前記セルID及び／又は関連する上りリンク及び／又は下りリンクの送信信号を変更する時間を含む、第三送信ユニット；及び
前記時間に、前記セルID、及び／又は、関連する上りリンク及び／又は下りリンクの送信信号を変更するための第四送信ユニットを更に含む、基地局。
【請求項３１】
請求項20又は25に記載の基地局であって、
前記セルの所在するセルクラスタの変化後に、前記セルのセルIDが前記セルの所在するセルクラスタに関係し且つ前記セルの基地局及びユーザ装置の送信した物理信号に関係する時に、前記基地局は、
前記セルのユーザ装置を他のセルにハンドオーバーするための第一ハンドオーバーユニット；及び
セルIDを変更し、或いは、セルID及び対応するシステム情報及び／又はコモン信号を変更するための第一変更ユニットを更に含む、基地局。
【請求項３２】
請求項20又は25に記載の基地局であって、
前記セルの所在するセルクラスタの変化後に、前記セルのセルIDが前記セルの所在するセルクラスタに関係し且つ前記セルの基地局及びユーザ装置の送信した物理信号に関係する時に、前記基地局は、
前記セルの一部のサブフレーム上でユーザ装置のスケジューリングを停止するための第一スケジューリングユニット；
前記一部のサブフレーム上で、変更後のセルIDに対応するシステム情報及び／又はコモン信号を送信するための第五送信ユニット；及び
未変更のセルIDに対応するシステム情報及び／又はコモン信号を送信するサブフレームを変更するための第二変更ユニットであって、全てのサブフレームは、変更後のセルIDに対応するシステム情報及び／又はコモン信号を送信する、第二変更ユニットを更に含む、基地局。
【請求項３３】
請求項32に記載の基地局であって、
前記第五送信ユニットがシステム情報及び／又はコモン信号を送信した後に、変更後のセルIDに対応するシステム情報及びコモン信号を送信するサブフレーム上で前記ユーザ装置をスケジューリングするための第二スケジューリングユニット；及び
前記第二変更ユニットがサブフレームを変更した後に、全てのサブフレーム上で前記ユーザ装置をスケジューリングするための第三スケジューリングユニットを更に含む、基地局。
【請求項３４】
請求項32に記載の基地局であって、
ユーザ装置がセルID変更後のセルを捜索し、そして、サブフレームのパターンを用いてセルID変更後のセルを測定するように構成するための第一構成ユニット；或いは、
前記セルのユーザ装置をセルID変更後のセルにハンドオーバーし、或いは、測定結果に基づいて、ハンドオーバーを行う必要のあるユーザ装置をセルID変更後のセル或いは他のセルにハンドオーバーするための第二ハンドオーバーユニットを更に含む、基地局。
【請求項３５】
請求項34に記載の基地局であって、
前記ユーザ装置に補助情報を提供するための情報提供ユニットを更に含み、
前記補助情報は、前記ユーザ装置がセルID未変更のセルを利用し得るタイミングを指示し、及び／又は、前記ユーザ装置がランダムアクセスプロセス中で元のセルの無線ネットワーク一時IDを用いてセルID変更後のセルにハンドオーバーし得ることを指示するために用いられ；或いは
前記補助情報は、前記ユーザ装置がセルID未変更のセルを使用し得るタイミングを指示し、前記ユーザ装置がランダムアクセスプロセス中で元のセルの無線ネットワーク一時IDを用いてセルID変更後のセルにハンドオーバーし得ること、及び、前記ユーザ装置がランダムアクセスプロセスを行わずセルID変更後のセルに直接アクセスすることを指示するために用いられる、基地局。
【請求項３６】
ユーザ装置であって、
セルの所在するセルクラスタの変化時に、前記セルの基地局が送信した指示情報を受信するための第二受信ユニットであって、前記指示メッセージは、セルID、及び／又は、関連する上りリンク及び／又は下りリンクの送信信号の変更を指示するために用いられ、前記指示メッセージは、変更後のセルID、及び／又は、前記セルID及び／又は関連する上りリンク及び／又は下りリンクの送信信号を変更する時間を含む、第二受信ユニット；及び
前記指示メッセージが指示した前記時間に、前記変更後のセルIDを用いて、前記セルの基地局が送信したシステム情報、及び／又は、コモン信号、及び／又は、下りリンク制御信号を受信し、及び／又は、前記ユーザ装置の上りリンク信号中のセルIDに関係するスクランブリングシーケンス又は参照信号シーケンスを変更するための第六送信ユニットを含む、ユーザ装置。
【請求項３７】
ユーザ装置であって、
前記ユーザ装置のセルの所在するセルクラスタが変化し、前記ユーザ装置が前記セルから他のセルにハンドオーバーする時に、前記他のセルの基地局が前記ユーザ装置に送信した補助情報を受信するための第三受信ユニットを含み、
前記補助情報は、前記ユーザ装置がセルID未変更のセルを使用し得るタイミングを指示し、及び／又は、前記ユーザ装置がランダムアクセスプロセス中で元のセルの無線ネットワーク一時IDを用いてセルID変更後のセルにハンドオーバーし得ることを指示するために用いられ；或いは
前記補助情報は、前記ユーザ装置がセルID未変更のセルを使用し得るタイミングを指示し、前記ユーザ装置がランダムアクセスプロセス中で元のセルの無線ネットワーク一時IDを用いてセルID変更後のセルにハンドオーバーし得ること、及び、前記ユーザ装置がランダムアクセスプロセスを行わずセルID変更後のセルに直接アクセスすることを指示するために用いられる、ユーザ装置。
【請求項３８】
コンピュータ可読プログラムであって、
基地局中で前記プログラムを実行する時に、前記プログラムは、コンピュータに、前記基地局中で請求項1〜2及び6〜17の任意の１項に記載のセルクラスタ変更方法を実行させるための、プログラム。
【請求項３９】
コンピュータ可読プログラムを記憶した記憶媒体であって、
前記コンピュータ可読プログラムは、コンピュータに、基地局中で請求項1〜2及び6〜17の任意の１項に記載のセルクラスタ変更方法を実行させる、記憶媒体。
【請求項４０】
コンピュータ可読プログラムであって、
ユーザ装置中で前記プログラムを実行する時に、前記プログラムは、コンピュータに、前記ユーザ装置中で請求項18又は19に記載の情報受信方法を実行させるための、プログラム。
【請求項４１】
コンピュータ可読プログラムを記憶した記憶媒体であって、
前記コンピュータ可読プログラムは、コンピュータに、ユーザ装置中で請求項18又は19に記載の情報受信方法を実行させる、記憶媒体。
【請求項４２】
コンピュータ可読プログラムであって、
制御器中で前記プログラムを実行する時に、前記プログラムは、コンピュータに、前記制御器中で請求項3〜5の任意の１項に記載のセルクラスタ変更方法を実行させるための、プログラム。
【請求項４３】
コンピュータ可読プログラムを記憶した記憶媒体であって、
前記コンピュータ可読プログラムは、コンピュータに、制御器中で請求項3〜5の任意の１項に記載のセルクラスタ変更方法を実行させる、記憶媒体。
【発明の詳細な説明】
【技術分野】
【０００１】
本発明は、通信分野に関し、特に、セルクラスタ（cell  cluster）変更方法、基地局及びユーザ装置に関する。
【背景技術】
【０００２】
移動データのサービスの需要量の飛躍的な増加に伴い、如何に従来の移動通信ネットワークを進化させて新しい技術を開発し、このように急速に伸びているサービスの需要量を満足し得るかは、移動通信分野の注目点の一つとなっている。
【０００３】
今のところ、可能な解決案のうちの一つとしては、スモールセル（Small  cell）を採用して物理リソースの再利用率を上げることがある。また、カバレッジ（カバーする面積）が同じである前提で、複数のSmall  cellで１つのマクロ（macro  cell）を置換することにより、電力のオーバヘッドを有効に節約することもできる。Small  cellは、省エネのグリーン・テクノロジーであり、柔軟な配置にとって有利であり、また、ユーザの数及びサービスのデータ量に基づいて柔軟にオープン及びクローズすることもできる。
【０００４】
Small  cellを密集配置する方法の１つとしては、Small  cellをセルクラスタ（cell  cluster）に分割することがあり、このような分割は、通信事業者によってSmall  cell配置時に設定されても良く、Small  cellが所定条件に基づいて自発的に行っても良い。Small  cellの組分けは、干渉の協調及びUEハンドオーバーの最適化にとって有利である。
【０００５】
なお、上述の背景技術についての紹介は、本発明の技術案を明確且つ完全に説明し、当業者がそれを理解しやすいためのものである。これらの案は、本発明の背景技術の部分に記述されているため、当業者にとって周知であると解釈すべきではない。
【発明の概要】
【発明が解決しようとする課題】
【０００６】
しかし、同一のホットスポットエリアでは、異なる期間のサービスの需要量がかなり異なる可能性がある。例えば、商用又はオフィスエリアでは、昼は、ネットワークにアクセスする必要のあるユーザ装置（UE）が多くあるため、データの需要量が大きくなるが、夜は、UEの数が急激に下がる。同一エリアに配置されるSmall  cellは、データの需要量が大きくなる時に全てオープンすることができ、この時は密集配置類型に属する。Small  cellの組分けが配置時に通信事業者によって固定されるものであれば、スモールセルクラスタ（Small  cell  cluster）内の強化メカニズム（例えば、干渉の協調及びUEハンドオーバーの最適化）は、１つのSmall  cell  cluster中で幾つかのみのSmall  cellがオープンしている時に、取得し得る利得が限られている。言い換えると、Small  cell  cluster中の大多数のセルがオープン状態にある時にのみ、比較的良い利得を得ることができる。
【０００７】
本発明の実施例はセルクラスタ変更方法、基地局及びユーザ装置を提供し、これにより、セルクラスタが動的に変化するようにさせることができるため、より多くの場合では、Small  cell  cluster内の強化メカニズムによって利益を得ることができる。
【課題を解決するための手段】
【０００８】
本発明の実施例の第一側面によれば、セルクラスタ変更方法が提供され、該方法は、
セルの基地局が、受信した、ネットワーク側制御器の送信した指示情報に基づいて、該セルを１つのセルクラスタに加入させ、或いは、該セルを該セルの所在するセルクラスタから離れさせ、或いは、該セルを該セルの所在するセルクラスタからもう１つのセルクラスタに変更させることを含む。
【０００９】
本発明の実施例の第二側面によれば、セルクラスタ変更方法が提供され、該方法は、
ネットワーク側制御器がセルの基地局に指示情報を送信することを含み、該指示情報は、セルが１つのセルクラスタに加入し、或いは、該セルが該セルの所在するセルクラスタから離れ、或いは、該セルが該セルの所在するセルクラスタからもう１つのセルクラスタに変わることを指示するために用いられる。
【００１０】
本発明の実施例の第三側面によれば、セルクラスタ変更方法が提供され、該方法は、
セルの基地局がネットワーク側制御器又はターゲットセルにメッセージを送信し、該メッセージは、該セルが、該ターゲットセルの所在するセルクラスタに加入し、及び／又は、それから離れるように要求することを指示するために用いられ、そのうち、該ターゲットセルは、該セルが加入するつもりのセルクラスタ中の１つ又は１つ以上のセル、及び／又は、該セルが離れるつもりのセルクラスタ中の他の１つ又は１つ以上セルを含み；及び
該セルの基地局が、該メッセージを送信した後に、或いは、該ターゲットセルからの許可確認メッセージを受信した時に、該セルを、該ターゲットセルの所在するセルクラスタに加入させ、及び／又は、それから離れさせることを含む。
【００１１】
本発明の実施例の第四側面によれば、セルクラスタ変更方法が提供され、該方法は、
ターゲットセルがセルの基地局の送信したメッセージを受信することを含み、該メッセージは、該セルが該ターゲットセルの所在するセルクラスタに加入し、及び／又は、それから離れるように要求することを指示するために用いられ、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含む。
【００１２】
本発明の実施例の第五側面によれば、セルクラスタ変更方法が提供され、該方法は、
セルに隣接する隣接セル、或いは、セルと同じセルクラスタにある他のセルが、該セルの基地局、或いは、ターゲットセルの基地局の送信した、該セルの所在するセルクラスタの変化が生じることを示すためのメッセージを受信し、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含み、該セルの所在するセルクラスタは、該セルが離れた又は離れるつもりのセルクラスタ、及び／又は、該セルが加入するセルクラスタを含み；及び
該隣接セル又は該他のセルが、その隣接セル、又は、該他のセルの所在するセルクラスタの他のセルに、該セルが該セルクラスタから離れ、及び／又は、該セルクラスタに加入すること、及び／又は、該セルのセルクラスタの変化の状況を通知することを含む。
【００１３】
本発明の実施例の第六側面によれば、情報受信方法が提供され、該方法は、
セルの所在するセルクラスタの変化が生じる時に、ユーザ装置が、該セルの基地局の送信した指示情報を受信し、該指示メッセージは、セルID、及び／又は、関連する上りリンク及び／又は下りリンクの送信信号の変更が生じることを指示するために用いられ、該指示メッセージは、変更されるセルID、及び／又は、該セルID及び／又は関連する上りリンク及び／又は下りリンクの送信信号が変更される時間を含み；及び
該指示メッセージが指示した時間に、該変更されるセルIDを用いて、該セルの基地局が送信したシステム情報、及び／又は、コモン信号、及び／又は、下りリンク制御信号を受信し、及び／又は、該ユーザ装置の上りリンク信号中のセルIDに関するスクランブリングシーケンス又は参照信号シーケンスを変更することを含む。
【００１４】
本発明の実施例の第七側面によれば、情報受信方法が提供され、該方法は、
セルの所在するセルクラスタの変化が生じる時に、該セルから他のセルにハンドオーバーするユーザ装置が、該他のセルの基地局により該ユーザ装置に送信された補助情報を受信することを含み、該補助情報は、該ユーザ装置が、セルIDが変更されていないセルを使用し得るタイミングを指示し、及び／又は、該ユーザ装置が、ランダムアクセスプロセス中で、元のセルの無線ネットワーク一時ID（ＲＮＴＩ）を用いて、セルIDが変更されているセルにハンドオーバーし得ることを指示するために用いられ；又は、
該補助情報は、該ユーザ装置が、セルIDが変更されていないセルを使用し得るタイミングを指示し、及び、該ユーザ装置が、ランダムアクセスプロセス中で、元のセルの無線ネットワーク一時IDを用いて、セルIDが変更されているセルにハンドオーバーし得ること、及び、該ユーザ装置が、ランダムアクセスを行わず、該セルIDが変更されているセルに直接アクセスすることを示すために用いられる。
【００１５】
本発明の実施例の第八側面によれば、基地局が提供され、該基地局は、
受信されたネットワーク側制御器の送信した指示情報に基づいて、セルを１つのセルクラスタに加入させ、或いは、セルを該セルの所在するセルクラスタから離れさせ、或いは、セルを該セルの所在するセルクラスタからもう１つのセルクラスタに変更させるための処理ユニットを含む。
【００１６】
本発明の実施例の第九側面によれば、制御器が提供され、該制御器は、
セルの基地局に指示情報を送信するための情報送信ユニットであって、該指示情報は、セルが１つのセルクラスタに加入し、或いは、セルが該セルの所在するセルクラスタから離れ、或いは、セルが該セルの所在するセルクラスタからもう１つのセルクラスタに変更することを指示するために用いられる、情報送信ユニットを含む。
【００１７】
本発明の実施例の第十側面によれば、基地局が提供され、該基地局は、
ターゲットセル或いはネットワーク側制御器にメッセージを送信するための第一送信ユニットであって、該メッセージは、該基地局のセルが該ターゲットセルの所在するセルクラスタに加入し、及び／又は、それから離れるように要求することを指示するために用いられ、そのうち、該ターゲットセルは、該セルが加入する必要のあるセルクラスタ中の１つ又は１つ以上のセル、及び／又は、該セルが離れる必要のあるセルクラスタ中の他の１つ又は１つ以上のセルを含む、第一送信ユニット；及び
該メッセージ後が送信された後に、或いは、該ターゲットセルの許可確認メッセージが受信された時に、該セルを該ターゲットセルの所在するセルクラスタに加入させ、及び／又は、それから離れさせるための第一処理ユニットを含む。
【００１８】
本発明の実施例の第十一側面によれば、基地局が提供され、該基地局は、
セルの基地局が送信したメッセージを受信するための受信ユニットであって、該メッセージは、該セルがターゲットセルの所在するセルクラスタに加入し、及び／又は、それから離れるように要求することを指示するために用いられ、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含む、受信ユニットを含む。
【００１９】
本発明の実施例の第十二側面によれば、基地局が提供され、該基地局は、
セルの基地局又はターゲットセルの基地局の送信した、該セルの所在するセルクラスタの変化が生じることを示すためのメッセージを受信するための第一受信ユニットであって、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含み、該セルの所在するセルクラスタは、該セルが離れた又は離れるつもりのセルクラスタ、及び／又は、該セルが加入するセルクラスタを含む、第一受信ユニット；及び
該基地局のセルに、該セルが該セルクラスタから離れ、及び／又は、該セルクラスタに加入すること、及び／又は、該セルのセルクラスタの変化の状況を通知するための第一通知ユニットを含む。
【００２０】
本発明の実施例の第十三側面によれば、ユーザ装置が提供され、該ユーザ装置は、
セルの所在するセルクラスタの変化が生じる時に、該セルの基地局の送信した指示情報を受信するための第二受信ユニットであって、該指示メッセージは、セルID、及び／又は、関連する上りリンク及び／又は下りリンクの送信信号の変更が生じることを指示するために用いられ、該指示メッセージは、変更されるセルID、及び／又は、該セルID及び／又は関連する上りリンク及び／又は下りリンクの送信信号が変更される時間を含む、第二受信ユニット；及び
該指示メッセージが指示した時間に、該変更されるセルIDを用いて、該セルの基地局が送信したシステム情報、及び／又は、コモン信号、及び／又は、下りリンク制御信号を受信し、及び／又は、該ユーザ装置の上りリンク信号中のセルIDに関するスクランブリングシーケンス又は参照信号シーケンスを変更するための第六送信ユニットを含む。
【００２１】
本発明の実施例の第十四側面によれば、ユーザ装置が提供され、該ユーザ装置は、
該ユーザ装置が所属するセルの所在するセルクラスタの変化が生じ、該ユーザ装置が該セルから他のセルにハンドオーバーする時に、該他のセルの基地局により該ユーザ装置に送信された補助情報を受信するための第三受信ユニットを含み、
該補助情報は、該ユーザ装置が、セルIDが変更されていないセルを使用し得るタイミングを指示し、及び／又は、該ユーザ装置が、ランダムアクセスプロセスで、元のセルの無線ネットワーク一時IDを用いて、セルIDが変更されているセルにハンドオーバーし得ることを指示するために用いられ；又は
該補助情報は、該ユーザ装置が、セルIDが変更されていないセルを使用し得るタイミングを指示し、該ユーザ装置が、ランダムアクセスプロセス中で、元のセルの無線ネットワーク一時IDを用いて、セルIDが変更されているセルにハンドオーバーし得ること、及び、該ユーザ装置がランダムアクセスを行わず、該セルIDが変更されているセルに直接アクセスすることを指示するために用いられる。
【００２２】
本発明の実施例の第十五側面によれば、コンピュータ可読プログラムが提供され、そのうち、基地局中で前記プログラムを実行する時に、前記プログラムは、コンピュータに、基地局中で実施例の第一、三、四、五側面に記載のセルクラスタ変更方法を実行させる。
【００２３】
本発明の実施例の第十六側面によれば、コンピュータ可読プログラムを記憶した記憶媒体が提供され、そのうち、前記コンピュータ可読プログラムは、コンピュータに、基地局中で実施例の第一、三、四、五側面に記載のセルクラスタ変更方法を実行させる。
【００２４】
本発明の実施例の第十七側面によれば、コンピュータ可読プログラムが提供され、そのうち、ユーザ装置中で前記プログラムを実行する時に、前記プログラムは、コンピュータに、ユーザ装置中で実施例の第六、第七側面に記載の情報受信方法を実行させる。
【００２５】
本発明の実施例の第十八側面によれば、コンピュータ可読プログラムを記憶した記憶媒体が提供され、そのうち、前記コンピュータ可読プログラムは、コンピュータに、ユーザ装置中で実施例の第六、第七側面に記載の情報受信方法を実行させる。
【００２６】
本発明の実施例の第十九側面によれば、コンピュータ可読プログラムが提供され、そのうち、制御器中で前記プログラムを実行する時に、前記プログラムは、コンピュータに、制御器中で実施例の第二側面に記載のセルクラスタ変更方法を実行させる。
【００２７】
本発明の実施例の第二十側面によれば、コンピュータ可読プログラムを記憶した記憶媒体が提供され、そのうち、前記コンピュータ可読プログラムは、コンピュータに、制御器中で実施例の第二側面に記載のセルクラスタ変更方法を実行させる。
【００２８】
本発明の実施例の有益な効果は、ネットワーク側の構成又はターゲットセルへの申請により、セルの基地局が、該セルを１つのセルクラスタに加入させ、或いは、１つのセルクラスタから離れさせ、或いは、１つのセルクラスタからもう１つのセルクラスタに変更させることで、セルクラスタは動的に変化することができる。よって、セルクラスタ内の強化メカニズムにより利益を得ることができる。
【００２９】
後述の説明及び図面を参照することで、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００３０】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００３１】
なお、「含む／有する」のような用語は、本明細書に使用されるときに、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００３２】
含まれている図面は、本発明の実施例への更なる理解を提供するために用いられ、これらの図面は、本明細書の一部を構成しており、本発明の実施形態を例示し、文字記載とともに本発明の原理を説明するために用いられる。また、明らかのように、次に記載されている図面は、本発明の幾つかの実施例を示すためのものに過ぎず、当業者は、創造性のある労働をせずに、これらの図面に基づいて他の図面を得ることもできる。
【図１】本発明の実施例1におけるセルクラスタ変更方法のフローチャートである。
【図２】本発明の実施例2におけるセルクラスタ変更方法のフローチャートである。
【図３Ａ】本発明の実施例3におけるセルクラスタ変更方法のフローチャートである。
【図３Ｂ】本発明の実施例3におけるセルクラスタ変更方法のフローチャートである。
【図４】本発明の実施例4におけるセルクラスタ変更方法のフローチャートである。
【図５】本発明の実施例6におけるセルクラスタ変更方法のフローチャートである。
【図６】本発明の実施例7におけるセルクラスタ変更方法のフローチャートである。
【図７Ａ】本発明の実施例8におけるセルクラスタ変更方法のフローチャートである。
【図７Ｂ】本発明の実施例8におけるセルクラスタ変更方法のフローチャートである。
【図８】本発明の実施例10におけるセルクラスタ変更方法のフローチャートである。
【図９】本発明の実施例13におけるセルクラスタ変更方法のフローチャートである。
【図１０】本発明の実施例14における基地局の構成図である。
【図１１】本発明の実施例14における基地局の構成図である。
【図１２】本発明の実施例15における制御器の構成図である。
【図１３】本発明の実施例17における基地局の構成図である。
【図１４】本発明の実施例19における基地局の構成図である。
【図１５】本発明の実施例23におけるユーザ装置の構成図である。
【図１６】本発明の実施例23におけるユーザ装置の構成図である。
【発明を実施するための形態】
【００３３】
以下、図面をもとに、本発明の各種の実施態様について説明する。これらの実施態様は例示に過ぎず、本発明について限定するものではない。
【００３４】
本発明の実施例では、セルは、ネットワーク側の構成に基づいて、又は、自発的に、セルクラスタを構成することができる。各セルは、１つのセルクラスタに加入することができ、１つのセルクラスタから離れることもできる。１つの領域には幾つかのみのセルがオープン状態にある時に、これらのセルは１つのセルクラスタを構成することができる。オープンされたセルの数の増加に伴い、１つのセルクラスタ内のセルの数が一定程度に達した時に、１つの大きなセルクラスタは、若干個の小さいセルクラスタに分割することもできる。また、オープンされたセルの数の減少に伴い、１つのセルクラスタ内のセルの数が一定程度まで下がった時に、若干個のセルクラスタは、１つのセルクラスタに合併することもできる。このように、セルクラスタは動的に変化することができるため、より多くの場合では、セルクラスタ内の強化メカニズムによって利益を得ることができる。
【００３５】
そのうち、該セルは、スモールセル（Small  cell）であっても良いが、該スモールセルに限定されない。以下、図面を参照しながら、本発明の実施例によるセルクラスタ変更方法について詳細に説明する。
【実施例１】
【００３６】
図1は本発明の実施例1によるセルクラスタ変更方法のフローチャートである。図1に示すように、該方法は、
ステップ101：セルの基地局が、受信した、ネットワーク側制御器が送信した指示情報に基づいて、該セルを１つのセルクラスタに加入させ、或いは、該セルをセルの所在するセルクラスタから離れさせ、或いは、該セルを該セルの所在するセルクラスタからもう１つのセルクラスタに変更（移動）させる、というステップを含む。
【００３７】
本実施例から分かるように、１つのセルは、ネットワーク側の構成に基づいて、１つのセルクラスタに加入し、或いは、１つのセルクラスタから離れ、或いは、１つのセルクラスタからもう１つのセルクラスタに変わる（移動する）ことができ、これにより、セルクラスタは、動的に変化することができる。よって、セルクラスタ内の強化メカニズムにより、利益を得ることができ、例えば、セル間干渉の協調及び抑制をより良く行うことで、ユーザ及び／又はネットワークスループットの増加を実現することができる。
【００３８】
本実施例では、該セルが該セルの所在するセルクラスタからもう１つのセルクラスタに変わることは、現在のセルクラスタから離れること、及び、もう１つのセルクラスタに加入することを同時に構成することで実現される。
【００３９】
本実施例では、該セルは、スモールセル（Small  cell）であっても良いが、該スモールセルに限定されない。以下、セルがスモールセルであることを例として説明する。
【００４０】
本実施例では、ネットワーク側制御器はマクロ基地局であっても良く、該マクロ基地局は、そのカバレッジ内のSmall  cellに対してスケジューリング及び協調を行うことで、セルクラスタを構成し、セルをセルクラスタに加入させ又はそれから離れさせ、或いは、１つのセルクラスタからもう１つのセルクラスタに移動させることを担当する。なお、マクロ基地局に限定されず、該ネットワーク側制御器は更に、コアネットであっても良く、或いは、１つの物理的実体であっても良く、即ち、実在する物理装置は、上述のセルクラスタの制御、協調及び変更のために専用することができる。
【００４１】
本実施例では、ネットワーク側制御器がマクロ基地局である時に、該制御器及び該セル間の交互（やり取り）は、X2インターフェース或いはXnインターフェースにより実現することができ；該制御器がコアネットである時に、該制御器及び該セル間の交互は、S1インターフェースにより実現することができ；該制御器が１つのセルクラスタ制御のための専用物理装置である時に、１つの新インターフェースを定義し、該制御器及び該セル間は、該インターフェースを用いてやり取りを行っても良い。
【００４２】
本実施例では、ステップ101の前に、該方法は更に、
ステップ100：該セルの基地局がネットワーク側制御器に要求メッセージを送信し、該要求メッセージは、該セルが１つのセルクラスタに加入し、或いは、該セルが該セルの所在するセルクラスタから離れ、或いは、該セルが該セルの所在するセルクラスタからもう１つのセルクラスタに変わるように要求することを指示するために用いられる、というステップを含んでも良い。
【００４３】
該ネットワーク側制御器が該要求メッセージを受信した時に、先に該要求メッセージに基づいて、該セルが１つのセルクラスタに加入するか、その所在するセルクラスタから離れるか、或いは、その所在するセルクラスタからもう１つのセルクラスタに変わるかを確定し、その後、該セルの基地局にメッセージを返すことができ、該メッセージには、関連する指示情報、例えば、該セルが１つのセルクラスタに加入し、その所在するセルクラスタから離れ、或いは、その所在するセルクラスタからもう１つのセルクラスタに変わることを指示する情報が携帯されている。このように、ステップ101では、該セルの基地局は、該ネットワーク側制御器が返したメッセージ中の指示情報に基づいて動作することができる。本実施例では、ステップ100は選択可能なステップであり、即ち、該セルの基地局は、要求メッセージを送信せず、ネットワーク側制御器の構成に基づいて、対応する動作を直接行っても良い。
【実施例２】
【００４４】
図2は本発明の実施例2によるセルクラスタ変更方法のフローチャートである。図2に示すように、該方法は、
ステップ201：ネットワーク側制御器がセルの基地局に指示情報を送信し、該指示情報により、セルが１つのセルクラスタに加入し、或いは、セルが該セルの所在するセルクラスタから離れ、或いは、該セルが該セルの所在するセルクラスタからもう１つのセルクラスタに変わることを指示する、というステップを含む。
【００４５】
本実施例では、該ネットワーク側制御器は、該セルが１つのセルクラスタに加入するか、或いは、１つのセルクラスタから離れるか、或いは、１つのセルクラスタからもう１つのセルクラスタに変わるかを確定し、その後、確定結果に基づいて該セルの基地局に指示情報を送信することができ、このように、該セルの基地局は、該指示情報に基づいて、セルが１つのセルクラスタに加入し、或いは、該セルの所在するセルクラスタから離れ、或いは、該セルの所在するセルクラスタからもう１つのセルクラスタに移動するようにさせることができる。
【００４６】
本実施例では、上述の制御器は１つのマクロ基地局、コアネット、或いは、物理的実体であっても良く、即ち、実在する物理装置は、セルクラスタの制御のために専用することができる。これは、実施例1と同様であるため、ここでは詳しい説明を省略する。
【００４７】
本実施例では、該セルが該セルの所在するセルクラスタからもう１つのセルクラスタに変わる場合、現在のセルクラスタから離れること、及び、もう１つのセルクラスタに加入することを同時に構成する必要がある。
【００４８】
本実施例では、セルの基地局が要求メッセージを送信する場合、図2に示すように、該方法は更に次のステップを含んでも良く、即ち、
ステップ200：該セルの基地局が送信した要求メッセージを受信し、該要求メッセージは、該セルが１つのセルクラスタに加入し、或いは、該セルが該セルの所在するセルクラスタから離れえ、或いは、該セルが該セルの所在するセルクラスタからもう１つのセルクラスタに変わるように要求することを指示するために用いられる。
【００４９】
また、ステップ201では、該ネットワーク側制御器は、該要求メッセージに基づいて、該セルの基地局に指示情報を送信する。本実施例では、セルが１つのセルクラスタに加入し、該セルの所在するセルクラスタから離れ、又は、該セルの所在するセルクラスタからもう１つのセルクラスタに変わった後に、該方法は更に、
ステップ202：該ネットワーク側制御器が、該セルの所在するセルクラスタ中の他のセルに、該セルが該セルクラスタから離れ、及び／又は、該セルが該セルクラスタに加入することを通知する、というステップを含んでも良く、
そのうち、該セルが１つのセルクラスタに加入する時に、該セルの所在するセルクラスタとは、該セルが加入するセルクラスタを指し；該セルが該セルの所在するセルクラスタから離れる時に、該セルの所在するセルクラスタとは、該セルが離れた又は離れるつもりのセルクラスタを指し；該セルが１つのセルクラスタからもう１つのセルクラスタに変わる時に、該セルの所在するセルクラスタとは、該セルが既に離れたセルクラスタ、及び、該セルが加入するセルクラスタを指す。
【実施例３】
【００５０】
図3Aは本発明の実施例3によるセルクラスタ変更方法のフローチャートである。図3Aに示すように、該方法は次のステップを含み、即ち、
ステップ301：該セルの基地局がネットワーク側制御器に要求メッセージを送信し、該要求メッセージは、該セルが１つのセルクラスタに加入し、或いは、現在の所在するセルクラスタから離れ、或いは、１つのセルクラスタからもう１つのセルクラスタに変わるように要求することを指示する。
【００５１】
本実施例では、セルクラスタに対しての加入又は離れ、或いは、もう１つのセルクラスタへの変更を要求することで、セルクラスタは動的に変化することができる。また、該制御器はマクロ基地局であっても良いが、該マクロ基地局に限定されず、コアネット或いはネットワーク側の物理的実体であっても良い。
【００５２】
本実施例では、１つのセルクラスタからもう１つのセルクラスタに変わる時に、１つのセルを離れること、及び、もう１つのセルに加入することを同時に要する。
【００５３】
ステップ302：ネットワーク側制御器が該セルの送信した要求メッセージを受信し；
ステップ303：該ネットワーク側制御器が該要求メッセージに基づいて、該セルがセルクラスタに加入するか、或いは、１つのセルクラスタを離れるか、或いは、１つのセルクラスタからもう１つのセルクラスタに変わるかを確定する。
【００５４】
本実施例では、該制御器は、実際の状況に応じて、該セルが加入するか、離れるか、或いは、他のセルクラスタに変わるかを確定し、そして、確定結果に基づいて構成を行うことができる。
【００５５】
ステップ304：該ネットワーク側制御器が該セルの基地局に指示情報を送信し、該指示情報により、セルが１つのセルクラスタに加入し、或いは、１つのセルクラスタを離れ、或いは、１つのセルクラスタからもう１つのセルクラスタに変わることを指示する。
【００５６】
ステップ305：該セルの基地局がネットワーク側制御器の通知した指示情報に基づいて、該セルを１つのセルクラスタに加入させ、或いは、１つのセルクラスタから離れさせ、或いは、１つのセルクラスタからもう１つのセルクラスタに変更させる。
【００５７】
ステップ306：該ネットワーク側制御器が該セルの所在するセルクラスタ中の他のセルに、該セルが該セルクラスタに加入し、それを離れ、或いは、他のセルクラスタに移動することを通知する。
【００５８】
そのうち、セルの加入、離れ又はセルクラスタへの移動により、セルクラスタは変化するようになり、そして、該セルの基地局は更に、該セルの所在するセルクラスタ中の他のセルに、該セルの加入、離れ又はセルクラスタへの移動を通知することができる。また、セルクラスタへの変更とは、該セルが１つのセルクラスタを離れると同時にもう１つのセルクラスタに加入することであり、具体的には、実施例2と同様であるため、ここでは詳しい説明を省略する。
【００５９】
本実施例では、ステップ301〜302は選択可能なステップであり、また、ステップ303も選択可能なステップであり、即ち、該制御器は、確認する必要がなく、要求メッセージに基づいて直接構成を行っても良く、また、ステップ306も選択可能なステップである。以下、セルクラスタを離れることを例として説明する。
【００６０】
図3Bは本発明の実施例3によるセルクラスタ変更方法のフローチャートである。図3Bに示すように、該方法は次のステップを含み、即ち、
ステップ301’：該セルの基地局がネットワーク側制御器に要求メッセージを送信し、該要求メッセージは、該セルが現在の所在するセルクラスタから離れるように要求することを示す。
【００６１】
ステップ302’：ネットワーク側制御器が該セルの送信した要求メッセージを受信する。
【００６２】
ステップ303’：該セルの基地局が該セルの所在するセルクラスタから離れる。
【００６３】
ステップ304’：該ネットワーク側制御器が該セルの所在するセルクラスタ中の他のセルに、該セルが該セルの所在するセルクラスタから離れることを通知する。
【００６４】
本実施例では、該ネットワーク側制御器が構成を行わなくても良く、即ち、該セルの基地局が自発的にその所在するセルクラスタから離れることもできる。ステップ304’は、選択可能なステップである。
【００６５】
以上、セルクラスタから離れることを例として説明したが、セルクラスタに加入し及びセルクラスタへ変更する場合も、上述と同様であるため、ここでは詳しい説明を省略する。
【００６６】
以上、図面をもとに、ネットワーク側で制御器が設置されることを例としてセルクラスタ変更方法について説明した。以下、図面に基づいて制御器を設置しない場合について説明する。
【実施例４】
【００６７】
図4は本発明の実施例4によるセルクラスタ変更方法のフローチャートである。図4に示すように、該方法は次のステップを含み、即ち、
ステップ401：セルの基地局がターゲットセルにメッセージを送信し、該メッセージは、該セルが該ターゲットセルの所在するセルクラスタに加入し、及び／又は、それから離れるように要求することを指示する。
【００６８】
本実施例では、該セルがセルクラスタに加入する場合、該ターゲットセルとは、該セルが加入するつもりのセルクラスタ中の１つのセル、一部、又は全部を指し；該セルがセルクラスタを離れる場合、該ターゲットセルとは、該セルが離れるつもりのセルクラスタ中の他の１つ、一部、又は全部を指し；該セルが１つのセルクラスタからもう１つのセルクラスタに変更する時に、該ターゲットセルは、上述の２種類の場合の組み合わせであるため、ここでは詳しい説明を省略する。
【００６９】
本実施例では、該ターゲットセルは、該セルが加入するつもりのセルクラスタ中の１つのセル、或いは、該セルが離れるつもりのセルクラスタ中の他の１つのセルである時に、該１つのセルは、地理位置上で該セルに比較的近い又は最も近い１つのセルであっても良いが、これに限定されず、距離が比較的遠いセルであっても良い。
【００７０】
例えば、セルAがセルクラスタに加入するつもりの時に、セルAの基地局は、その加入するつもりのセルクラスタ内の任意の１つ（例えば、セルB）又は１つ以上のターゲットセル（例えば、セルB、C、Dなど）に要求メッセージを送信して、該ターゲットセルの所在するセルクラスタに加入するように要求しても良い。
【００７１】
例えば、該セルAが１つのセルクラスタから離れるように要求する時に、該セルAの基地局は、該セルAと同一のセルクラスタにある任意の１つ又は１つ以上のターゲットセルにメッセージを送信して、セルAがしばらくその所在するセルクラスタから離れることを通知しても良い。
【００７２】
例えば、セルAが該セルAの所在するセルクラスタから、もう１つのセルクラスタに移動する場合について、それは、上述セルAがセルクラスタに加入し及びセルクラスタから離れる２種類の場合の組み合わせであるため、ここでは詳しい説明を省略する。
【００７３】
ステップ402：該セルの基地局がターゲットセルの送信した許可確認メッセージを受信した時に、該セルを該ターゲットセルの所在するセルクラスタに加入させ、及び／又は、該セルの所在するセルクラスタから離れさせる。
【００７４】
ステップ401では、セルAの基地局がターゲットセルの所在するセルクラスタに加入し、及び／又は、それから離れるように要求する時に、該ターゲットセルの基地局は、該セルAが該ターゲットセルの所在するセルクラスタに加入し及び／又はそれを離れることができるかどうかを確定することができ、該セルAが加入し及び／又は離れることができると確定した時に、該セルAの基地局に許可確認メッセージを送信しても良く；セルAの基地局がターゲットセル、例えば、セルBからの許可確認メッセージを受信した時にのみ、セルAは、該ターゲットセルBの所在するセルクラスタに加入し及び／又はそれから離れることができる。
【００７５】
また、セルAの基地局は、ターゲットセルの所在するセルクラスタに加入し及び／又はそれを離れるように要求するためのメッセージを送信した後に、該ターゲットセルの基地局は、確認を行わなくても良く、即ち、該セルAは、該ターゲットセルからの許可確認メッセージを受信せず、その所在するセルクラスタに直接加入し及び／又はそれを離れても良い。
【００７６】
なお、セルAの基地局がセルの変更を要求するためのメッセージを送信する情況は、上述の２種類の場合の組み合わせであるため、ここでは詳しい説明を省略する。
【００７７】
本実施例では、該方法は更に次のステップを含んでも良く、即ち、
ステップ403：該セルの基地局が、隣接セル、及び／又は、該セルが加入し及び／又は離れるセルクラスタ中の他のセルに、該セルの所在するセルクラスタの変化が生じることを示すためのメッセージを送信する。
【００７８】
本実施例では、該セルの所在するセルクラスタが実施例2と同様であり、既に離れた又は離れるつもりのセルクラスタ、及び／又は、該セルが加入するセルクラスタを含み、また、本実施例では、該隣接セルは、地理上でそれと接続されるセルであっても良く、且つ、該隣接セルの所在するセルクラスタは、該セルの加入、離れ、或いは変更に関するセルクラスタではなくても良い。
【実施例５】
【００７９】
本発明の実施例5は更にセルクラスタ変更方法を提供し、該方法は次のステップを含み、即ち、
ターゲットセルがセルの基地局の送信したメッセージを受信し、該メッセージは、該セルが該ターゲットセルの所在するセルクラスタに加入し及び／又はそれから離れるように要求することを指示し、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含む。
【００８０】
本実施例では、該ターゲットセルは更に、該メッセージを受信した後に、更に、該セルが該ターゲットセルの所在するセルクラスタに加入し及び／又はそれを離れることを許可するかどうかを確定し、その後、該セルの基地局にレスポンスとして許可確認メッセージを返すことができる。ただし、該ステップは選択可能なステップである。
【００８１】
本実施例では、該セルが該ターゲットセルの所在するセルクラスタ加入し及び／又はそれを離れた後に、該ターゲットセルは、該セルの隣接セル、及び／又は、該セルが加入し及び／又は離れるセルクラスタ中の他のセルに、該セルの所在するセルクラスタの変化が生じることを示すためのメッセージを送信することができる。なお、該ステップは選択可能なステップである。
【実施例６】
【００８２】
図5は本発明の実施例6によるセルクラスタ変更方法のフローチャートである。図5に示すように、該方法は次のステップを含み、即ち、
ステップ501：セルの隣接セル、或いは、該セルが加入し及び／又は離れるセルクラスタ中の他のセルが、該セルの基地局又はターゲットセルの基地局の送信した、該セルの所在するセルクラスタの変化が生じることを示すメッセージを受信する。
【００８３】
そのうち、該セルの所在するセルクラスタは、既に離れた又は離れるつもりのセルクラスタ、及び／又は、該セルが加入するセルクラスタを含み、これは上述の実施例と同様であるため、ここでは詳しい説明を省略する。
【００８４】
ステップ502：該隣接セル又は該他のセルが、隣接セル、或いは、該他のセルの所在するセルクラスタの他のセルに、該セルが該セルクラスタから離れ及び／又はそれに加入すること、及び／又は、該セルのセルクラスタの変化の状況を通知する。
【００８５】
本実施例では、ステップ502は選択可能なステップである。
【００８６】
上述の実施例4及び実施例5、6の制御器無しの場合、任意の２つのセル間のメッセージの交互は、X2又はXnインターフェースにより実現することができるが、これに限定されず、他の既存のインターフェース或いは新しく定義されるインターフェースを採用しても良い。
【実施例７】
【００８７】
図6は本発明の実施例7によるセルクラスタ変更方法のフローチャートである。図6に示すように、該方法は次のステップを含み、即ち、
ステップ601：セルの基地局がターゲットセルに要求メッセージを送信し、該メッセージは、該ターゲットセルの所在するセルクラスタに加入するように要求するためのものである。
【００８８】
そのうち、該ターゲットセルは、該セルが加入するつもりのセルクラスタ内の１つのセルであり、例えば、該ターゲットセルは、地理位置上で該セルに最も近い又は比較的近い１つのセルであっても良く、例えば、該セルはセルAであり、ターゲットセルはセルBである。
【００８９】
また、該ターゲットセルは、該セルが加入するつもりのセルクラスタ内の１つ以上又は全てのセルであっても良い。
【００９０】
ステップ602：該ターゲットセル（例えば、基地局）が該要求メッセージを受信し、該セルをメンバーとしてのセルとして受けるかどうかを判断し；
ステップ603：該セルの基地局に許可確認メッセージを返す。
【００９１】
本実施例では、該ターゲットセル（セルB）の基地局は、該ターゲットセルの所在するセルクラスタが該セル（セルA）をメンバーとして受けることができると確定した時に、該セルの基地局に許可確認メッセージを送信する。
【００９２】
ステップ604：該セルの基地局は該確認メッセージを受信した時に、該ターゲットセルの所在するセルクラスタに加入する。
【００９３】
また、該方法は更に次のステップを含み、即ち、
ステップ605：該セルの基地局が、隣接セル、及び／又は、該セルが加入するセルクラスタ中の他のセルに、該セルの所在するセルクラスタに変化が生じることを示すメッセージを送信する。
【００９４】
本実施例では、該隣接セルの数は１つ又は１つ以上であっても良く；該セルが加入するセルクラスタ中の他のセルの数は１つ又は１つ以上であっても良く；また、該ステップ605は選択可能なステップである。
【００９５】
また、該方法は更にステップ605’を含んでも良く、即ち、該ターゲットセルが、隣接セル、及び／又は、該セルが加入するセルクラスタ中の他のセルに、該セルの所在するセルクラスタに変化が生じることを示すメッセージを送信する。なお、該ステップ605’は、選択可能なステップである。
【００９６】
本実施例では、ステップ602において、該セルAをメンバーとして受けることができないと確定した場合、該ターゲットセルの基地局は、該セルAの基地局に、拒否メッセージを送信しても良く、これにより、セルAがセルBの所在するセルクラスタに加入することを拒否する（例えば、図6中のステップ603’）。該ステップ603’は選択可能なステップである。この場合は、ステップ603〜605、605’を行う必要がない。
【００９７】
本実施例では、ステップ602及びステップ603も選択可能なステップであり、即ち、ターゲットセルの確認が要らず、該セルの基地局が要求メッセージを送信した後に、該セルを該ターゲットセルの所在するセルクラスタに加入させても良い。
【実施例８】
【００９８】
図7Aは本発明の実施例8によるセルクラスタ変更方法のフローチャートである。図7Aに示すように、該方法は、
ステップ701：セルの基地局がターゲットセルに要求メッセージを送信し、該メッセージは、該セルが該ターゲットセルの所在するセルクラスタから離れるように要求するためのものである。
【００９９】
そのうち、該ターゲットセルは、該セルが離れるつもりのセルクラスタ内の１つ又は１つ以上のセルであり、これは実施例4と同様であるため、ここでは詳しい説明を省略する。
【０１００】
例えば、該ターゲットセルはセルBである。
【０１０１】
ステップ702：該ターゲットセル（例えば、基地局）が該要求メッセージを受信し、該セルがその所在するセルクラスタから離れることを受けるかどうかを判断する。
【０１０２】
ステップ703：該セルの基地局に許可確認メッセージを返す。
【０１０３】
本実施例では、該ターゲットセル（セルB）の基地局が、該ターゲットセルがその所在するセルクラスタから離れることができると判断した時に、該セルの基地局に許可確認メッセージを送信する。
【０１０４】
ステップ704：該セルの基地局が該許可確認メッセージを受信した時に、該セルの所在するセルクラスタから離れさせる。
【０１０５】
また、該方法は更に次のステップを含み、即ち、
ステップ705：該セルの基地局が、隣接セル、及び／又は、該セルが離れるセルクラスタ中の他のセルに、該セルの所在するセルクラスタに変化が生じることを示すメッセージを送信する。
【０１０６】
本実施例では、該セルの所在するセルクラスタは上述の実施例と同様であるため、ここでは詳しい説明を省略する。
【０１０７】
該隣接セルの数は１つ１つ以上であっても良く；該セルが加入するセルクラスタ中の他のセルの数は１つ又は１つ以上であっても良く；また、該ステップ705は選択可能なステップである。
【０１０８】
また、ステップ705’を含んでも良く、即ち、該ターゲットセルの基地局が、隣接セル、及び／又は、該セルが離れるセルクラスタ中の他のセルに、該セルの所在するセルクラスタに変化が生じることを示すメッセージを送信する。なお、該ステップは選択可能なステップである。
【０１０９】
本実施例では、ステップ702における判断結果が「いいえ」である場合、該ターゲットセルの基地局は、該セルAの基地局に拒否メッセージを送信しても良く、これにより、セルAがその所在するセルクラスタから離れることを拒否する（例えば、図7中のステップ703’）。なお、該ステップ703’は選択可能なステップである。
【０１１０】
また、図7Aに示す実施例では、ステップ702及びステップ703も選択可能なステップである。以下、図7Bをもとにこのような場合について説明する。
【０１１１】
図7Bは本発明の実施例8によるセルクラスタ変更方法のフローチャートである。図7Bに示すように、該方法は次のステップを含み、即ち、
ステップ701’：セルの基地局がターゲットセルにメッセージを送信し、該メッセージは、該セルが該セルの所在するセルクラスタを離れるつもりということを通知するためのものである。
【０１１２】
本実施例では、該ターゲットセルは上述と同様であるため、ここでは詳しい説明を省略する。
【０１１３】
ステップ704’：該セルの基地局が、該セルをセルの所在するセルクラスタから離れさせる。
【０１１４】
ステップ704’の後に、ステップ706’を更に含んでも良く、即ち、
該セルの基地局が、隣接セル、及び／又は、該セルと同じセルクラスタにある他のセルに、該セルの所在するセルクラスタに変化が生じることを示すメッセージを送信する。
【０１１５】
該セルが１つのセルクラスタを離れる場合、該セルと同じセルクラスタにある他のセルとは、該セルが既に離れた又は離れるつもりのセルクラスタを指す。なお、該ステップ706’は、選択可能なステップである。
【０１１６】
また、ステップ706’’を含んでも良く、即ち、該ターゲットセルの基地局が、隣接セル、及び／又は、該セルが離れるセルクラスタ中の他のセルに、該セルの所在するセルクラスタに変化が生じることを示すメッセージを送信する。なお、該ステップは選択可能なステップである。
【０１１７】
実施例7及び8では、ステップ605、605’の後に、或いは、ステップ705又は705’、706’又は706’’の後に、該隣接セル及び／又は他のセルは更に、該隣接セル或いは該他のセルの所在するセルクラスタの他のセルに、該セルが該セルクラスタから離れ及び／又はそれに加入すること（図示せず）、及び／又は、該セルのセルクラスタの変化の状況を通知することもできる。
【実施例９】
【０１１８】
本発明の実施例9は更にセルクラスタ変更方法を提供し、即ち、１つのセルがその所在するセルクラスタからもう１つのセルクラスタに変更する方法を提供し、このような場合は、セルがセルクラスタに加入すること及びその所在するセルクラスタを離れることの組み合わせに相当するため、ここでは詳しい説明を省略する。
【０１１９】
上述の実施例1〜9では、上述の方法により、セルクラスタを動的に変化させことができ、これにより、セルクラスタが動的に変化することで、より多くの場合、セルクラスタ内の強化メカニズムによって利益を得ることができ、例えば、セル間干渉の協調及び抑制をより良く行うことで、ユーザ及び／又はネットワークスループットの増加を実現することができる。
【実施例１０】
【０１２０】
図8は本発明の実施例10によるセルクラスタ変更方法である。そのうち、該セル側では、図8に示すように、該方法は次のステップを含み、即ち、
ステップ801：セルクラスタを変更し；
そのうち、上述の実施例に記載の方法を採用してセルクラスタを変更することができる。
【０１２１】
本実施例と上述の実施例との異なるところは、該セルの基地局がシステム情報を送信し得ることにあり、該システムメッセージは、該セルが所在するセルクラスタのセルクラスタIDを含む。
【０１２２】
また、該セルが所在するセルクラスタが変化した後に、該方法は更に次のステップを含み、即ち、
ステップ802：該セルのセルクラスタIDを更新する。
【０１２３】
本実施例では、該セルのセルIDが、該セルの所在するセルクラスタと関係がない時に、即ち、該セルのセルクラスタに対しての加入、離れ或いは変更を行った後に、セルIDが変化しない場合、該セルの基地局は、該システムメッセージに含まれているセルクラスタIDを変更すれば良い。
【０１２４】
本実施例では、該セルのセルIDが、該セルの所在するセルクラスタと関係がある時に、即ち、セルクラスタに対しての加入、離れ又は変更を行った後に、セルIDも変化する場合、例えば、セルIDは、セルクラスタ及びセルにより共同決定される。セルの一次IDは、セルクラスタIDであり、セルの二次は、セルクラスタ内の仮想IDである。
【０１２５】
該セルのセルIDが、該セルの所在するセルクラスタと関係がある場合、該セルIDが、該セルの基地局及びユーザ装置の送信した物理信号と関係がなければ、セルクラスタ変更後に、該セルの基地局は、システム情報に含まれているセルクラスタIDを変更する。
【０１２６】
本実施例では、該セルのセルIDが、該セルの所在するセルクラスタと関係がある場合、該セルIDが、該セルの基地局及びユーザ装置の送信した物理信号と関係があれば、例えば、下りリンクコモン信号のシーケンス及び位置、及び／又は、上りリンク／下りリンクユーザの専用パイロット信号のシーケンスが、セルIDと関連するランダムシーケンスによりスクランブリングされていれば、該セルの基地局は対応する操作を行うことができ、なお、該操作は以下の実施例で紹介される。
【実施例１１】
【０１２７】
本発明の実施例11は更にセルクラスタ変更方法を提供する。実施例10との異なるところは、該セルのセルIDが、該セルの所在するセルクラスタと関係がある場合、該セルIDが、該セルの基地局及びユーザ装置の送信した物理信号と関係があれば、該セルの基地局が更に次のような操作を行うことにある。
【０１２８】
該セルの基地局がユーザ装置に指示メッセージを送信し、該指示メッセージは、該セルID、及び／又は、関連する上りリンク及び／又は下りリンクの送信信号の変更を示すために用いられ、該指示メッセージは、変更されるセルID、及び／又は、該セルID及び／又は関連する上りリンク及び／又は下りリンクの送信信号を変更する時間を含む。
【０１２９】
本実施例では、セル基地局は、物理層シグナリング（例えば、物理制御チャネルの下り制御情報（DCI、downlink  control  information））、或いは、媒体アクセス制御（MAC）層シグナリング、或いは、無線リソース制御（RRC）層シグナリングにより、ユーザセルIDの変更、或いは、関連する上り下り送信信号の変更を通知することができる。
【０１３０】
該メッセージにはセルの新IDを携帯することができる。
【０１３１】
本実施例では、基地局側及びユーザ側は、予め、該ユーザ装置が該メッセージを受信した後のどのぐらいで、セルがセルIDの更新、及び、対応する変更（例えば、上り下り送信信号の変更）を行うかを約束することができ、例えば、該メッセージを受信した後の次の１つのフレームの第１個目のサブフレームで行うように事前に約束することができる。このような場合、該メッセージには変更の時間を含める必要がない。
【０１３２】
また、該メッセージは、セルがセルIDの変更、及び／又は、対応する変更を行う時点、例えば、若干個のサブフレーム遅延した後の時点を具体的に搬送しても良い。
【０１３３】
＜ユーザ装置側＞
セルの所在するセルクラスタに変化が生じる時に、ユーザ装置は、該セルの基地局が送信した指示情報を受信し、該指示メッセージは、セルID、及び／又は、関連する上りリンク及び／又は下りリンクの送信信号の変更を示すために用いられ；該指示メッセージは、変更されるセルID、及び／又は、該セルID及び／又は関連する上りリンク及び／又は下りリンクの送信信号を変更する時間を含み、
このように、該ユーザ装置は、セルIDの変更を指示するメッセージを受信した後に、指定された時点で、受信した新セルIDを用いてセルシステム情報を識別し、或いは、セルコモン信号、下り制御チャネルを受信し、及び／又は、自分の上りリンク信号中のセルIDに関するスクランブリングシーケンス及び参照信号シーケンスなどを変更することができる。
【実施例１２】
【０１３４】
本発明の実施例12は更にセルクラスタ変更方法を提供する。実施例10との異なるところは、該セルのセルIDが、該セルの所在するセルクラスタと関係がある場合、該セルIDが該セルの基地局及びユーザ装置の送信した物理信号と関係があれば、該セルの基地局が更に次のような操作を行うことにある。
【０１３５】
セルの基地局は、所属するセルのユーザ装置を他のセルにハンドオーバーし、その後、セルIDを変更し、或いは、セルID及び対応するシステム情報及び／又はコモン信号を変更する。
【０１３６】
例えば、セルの基地局（セルAと略称する）は、そのサービングする全てのユーザ装置を他のセル（セルBと略称する）にハンドオーバーし、その後、セルID、対応するシステム情報、下りコモン信号を変更する（セルID変更後のセルAをセルA1と略称する）。
【０１３７】
このように、セルBにハンドオーバーした後に、サービスが引き続き提供され得るユーザを元のところにハンドオーバーすることができ、即ち、セルID変更後のセルA1にハンドオーバーすることができる。そのうち、上述の‘サービスが引き続き提供され得るユーザ’について、セルBにより、ユーザ装置がセル探索及び測定（そのうち、セルID更新後のセルAを含む）を行うように構成し、そして、測定報告に基づいて、該ユーザ装置をセルA1にハンドオーバーするか、或いは、セルBにより引き続きサービングされるか、或いは、より適切な第三セルにハンドオーバーするかを判断する。該プロセスは従来技術と同様であるため、ここでは詳しい説明を省略する。
【０１３８】
＜ハンドオーバー後のセルB側＞
セル探索の過程では、セルBは、ユーザ装置のために、セルID変更後のセルA1に関する補助情報を提供することができ、該補助情報は、該ユーザ装置が、セルID未変更のセルを使用し得るタイミングを指示し、及び／又は、該ユーザ装置が、ランダムアクセスプロセス中で、元のセルの無線ネットワーク一時ID（C-RNTI、Cell  Radio  Network  Temporary  Identifier）を用いて、セルID変更後のセルA1にハンドオーバーし得ることを指示するために用いられ；或いは、該補助情報は、該ユーザ装置がセルID未変更のセルを使用し得るタイミングを指示し、該ユーザ装置がランダムアクセスプロセス中で、元のC-RNTIを用いてセルID変更後のセルにハンドオーバーし得ること、及び、該ユーザ装置がランダムアクセスを行わず、該セルIDが変更されているセルに直接アクセスすることを指示するために用いられる。
【０１３９】
例1：該セルBが、該補助情報により、該ユーザ装置に、セルA1の下りリンクタイミング（Downlink  Timing）がセルAと同じであることを通知する。
【０１４０】
例2：ユーザ装置をセルA1にハンドオーバーによる返すと確定すれば、幾つかの場合（例えば、セルBは、あるユーザ装置が、セルAを離れた時から、セルA1へのハンドオーバーの準備ができた時までの間に、上りリンクタイミングが異なることを引き起こし得る物理的移動が発生してないことを確認することができる）、セルBは、ユーザ装置のために、セルA1に関する補助情報を提供することができ、例えば、ユーザ装置に、セルA1の上りリンクTAがセルAの上りリンクTAと同じあることを通知する。
【０１４１】
例3：ユーザ装置をセルA1にハンドオーバーにより返すと確定すれば、セルBは更に、ユーザ装置のために、セルA1に関する補助情報を提供することができ、例えば、ユーザ装置に、ランダムアクセスプロセス中で、該ユーザ装置が再び元のC-RNTIを用いてアクセスを行えることを通知する。
【０１４２】
例4：例1〜3をもとに、該補助情報は更に、ユーザ装置に、ランダムアクセスを行わずA1を直接アクセスセルし得ることを通知することもできる。
【０１４３】
＜ユーザ装置側＞
セルの所在するセルクラスタに変化が発生する時に、該セルから他のセルにハンドオーバーするユーザ装置は、該他のセルの基地局が該ユーザ装置に送信した補助情報を受信し、該補助情報は、該ユーザ装置がセルID未変更のセルを使用し得るタイミングを指示し、及び／又は、該ユーザ装置が、ランダムアクセスプロセス中で、元のC-RNTIを用いて、セルID変更済みのセルにハンドオーバーし得ることを指示するために用いられ；或いは、該補助情報は、該ユーザ装置がセルID未変更のセルを使用し得るタイミングを指示し、及び、該ユーザ装置がランダムアクセスプロセス中で元のC-RNTIを用いてセルID変更後のセルにハンドオーバーし得ること、及び、該ユーザ装置がランダムアクセスを行わずセルIDが変更されているセルに直接アクセスすることを指示するために用いられる。
【実施例１３】
【０１４４】
図9は本発明の実施例13によるセルクラスタ変更方法のフローチャートである。実施例10との異なるところは、該セルのセルIDが、該セルの所在するセルクラスタに関係する場合、該セルIDが、該セルの基地局及びユーザ装置の送信した物理信号に関係すれば、該セルの基地局が更に次のような操作を行うことにある。
【０１４５】
ステップ903：セルの基地局が、セルの一部のサブフレーム上でユーザ装置をスケジューリングすることを停止し；
そのうち、ステップ903により生成された、いずれのユーザもスケジューリングしていないサブフレーム、即ち、上述の一部のサブフレームを空（blank）サブフレームと称する。
【０１４６】
ステップ904：上述の空サブフレーム上で、変更されたセルIDに対応するシステム情報及び／又はコモン信号を送信し；
そのうち、該セルの基地局は、空サブフレーム上で、新セルIDに対応するシステム情報及びコモン信号を送信することができる（ここでは、旧セルIDを採用するセルをセルAと略称し、新セルIDを採用するセル（即ち、セルID変更済みのセル）をセルA1と略称する）。
【０１４７】
ステップ905：該ユーザ装置がセルID変更済みのセルを捜索し、また、サブフレームのパターンを用いて該セルID変更済みのセルを測定するように構成し；
該セルID変更済みのセルの基地局（即ち、セルAの基地局）は上述の構成を行う。
【０１４８】
そのうち、サブフレームのパターンを用いて測定を行うこととは、一部のみのサブフレーム上で測定待ちキャリアに対して測定を行うことを指す。
【０１４９】
本実施例では、測定ステップがある時に、ステップ906を含んでも良く、即ち、測定結果に基づいて、あるユーザ装置をセルID変更後のセルにハンドオーバーするか、或いは、あるユーザ装置をより適切なセルにハンドオーバーするかを判断する。
【０１５０】
測定ステップがない時に、ステップ906’を含んでも良く、即ち、該セルの基地局が、そのサービングする全てのユーザ装置をセルID変更済みのセル（即ち、A1）にハンドオーバーする。
【０１５１】
上述のステップ905及び906/906’は選択可能なステップである。
【０１５２】
ステップ907：該セルID変更済みのセルの基地局（セルAの基地局）が、変更されたセルIDと一致するシステム情報及び／又は信号を送信するサブフレーム上でユーザ装置をスケジューリングする。
【０１５３】
ステップ908：該セルの基地局が、変更されていないセルIDに対応するシステム情報及び／又はコモン信号を送信するサブフレームを変更する。
【０１５４】
このように、全てのサブフレームが、変更されたセルIDと一致するシステム情報及び／又は信号を送信するようにさせることができる。
【０１５５】
サブフレームの変更を完成した後に、該セルA1の基地局（セルAの基地局）は、全てのサブフレーム上で該ユーザ装置をスケジューリングする。
【実施例１４】
【０１５６】
図10は本発明の実施例14による基地局の構成図である。ネットワーク側で制御器を設置する時に、該基地局はセルの基地局に対応し、該ネットワーク側制御器の指示に基づいて、該セルのセルクラスタに対しての加入、離れ、又は変更を行う。
【０１５７】
図10に示すように、基地局1000は処理ユニット1001を含み、処理ユニット1001は、受信された、ネットワーク側制御器が送信した指示情報に基づいて、セルを１つのセルクラスタに加入させ、或いは、セルを該セルの所在するセルクラスタから離れさせ、或いは、セルを該セルの所在するセルクラスタからもう１つのセルクラスタに変更させるために用いられる。
【０１５８】
本実施例では、該セルはスモールセル（Small  cell）であっても良いが、該スモールセルに限定されない。以下、セルがスモールセルである場合を例として説明する。
【０１５９】
本実施例では、基地局1000は更に情報送信ユニット1002を含んでも良く、情報送信ユニット1202は、ネットワーク側制御器に要求メッセージを送信するために用いられ、該要求メッセージは、該セルが１つのセルクラスタに加入し、或いは、該セルが該セルの所在するセルクラスタから離れ、或いは、該セルが前記セルの所在するセルクラスタからもう１つのセルクラスタに変更するように要求することを示すために用いられる。
【０１６０】
このように、基地局1000は該要求メッセージを送信した後に、処理ユニット1001は、該ネットワーク側制御器が該要求メッセージに基づいて送信した指示情報に基づいて、該セルを１つのセルクラスタに加入させ、或いは、該セルの所在するセルクラスタから離れさせ、或いは、前記セルの所在するセルクラスタからもう１つのセルクラスタに変更させることができる。
【０１６１】
本実施例では、情報送信ユニット1002は選択可能な部品であり、処理ユニット1001及び情報送信ユニット1002の実施方法は実施例1と同様であるため、ここでは詳しい説明を省略する。本実施例では、該ネットワーク側制御器は実施例1と同様であるため、ここでは詳しい説明を省略する。また、該制御器とセルとの間のインターフェースも実施例1と同様であるため、ここでは詳しい説明を省略する。
【０１６２】
本実施例から分かるように、該基地局は、制御器が送信した指示情報に基づいて、１つのセルを１つのセルクラスタに加入させ、或いは、１つのセルクラスタから離れさせ、或いは、１つのセルクラスタからもう１つのセルクラスタに変更させることができるため、セルクラスタは動的に変化することができる。よって、セルクラスタ内の強化メカニズムにより利益を得ることができ。
【０１６３】
本実施例では、基地局1000は上述の部品の他に、従来技術に類似した部品を更に含んでも良い。以下、図11をもとに説明する。
【０１６４】
図11は本発明の実施例14による基地局の構成図である。図10に示す基地局をもとに、図10に示す上述の機能モジュール以外に、基地局1100は更に、他の周知の部品、例えば、主制御回路1101、記憶器1102、送受信機1104及びアンテナ1105を含んでも良い。そのうち、該記憶器1102は、実施例13のセルクラスタの変更を実行するプログラムを記憶しても良い。また、主制御器1101の制御の下で該プログラムを実行することもでき、該プログラムの実行過程は実施例1と同様であるため、ここでは詳しい説明を省略する。他の部品の機能は従来技術と同様であるため、ここでは詳しい説明を省略する。また、図10に示す部品を主制御回路1101に集積することもできる。
【実施例１５】
【０１６５】
図12は本発明の実施例15による制御器の構成図である。図12に示すように、制御器1200は、次の部品を含み、即ち、
情報送信ユニット1201：情報送信ユニット1201は、セルの基地局に指示情報を送信するために用いられ、該指示情報は、セルが１つのセルクラスタに加入し、或いは、該セルの所在するセルクラスタから離れ、或いは、該セルの所在するセルクラスタからもう１つのセルクラスタに変更することを指示するために用いられる。
【０１６６】
本実施例では、制御器1200は、該セルが１つのセルクラスタに加入するか、或いは、その所在するセルクラスタから離れるか、或いは、１つのセルクラスタからもう１つのセルクラスタに変わるかを確定し、その後、確定結果に基づいて該セルの基地局に該指示情報を送信することができる。このように、制御器1200は更に確定ユニット（図示せず）を含んでも良く、それは、該セルが１つのセルクラスタに加入するか、及び／又は、その所在するセルクラスタから離れるかなどを確定するために用いられる。該部品は選択可能な部品である。
【０１６７】
本実施例から分かるように、制御器1200はセルの基地局に指示情報を送信することができ、このように、該セルの基地局は該指示情報を得た後に、１つのセルを１つのセルクラスタに加入させ、或いは、１つのセルクラスタから離れさせ、或いは、１つのセルクラスタからもう１つのセルクラスタに変更させることができるため、セルクラスタは動的に変化することができる。よって、セルクラスタ内の強化メカニズムにより利益を得ることができ。
【０１６８】
本実施例では、情報送信ユニット1201は更に、セル側の要求に基づいて該指示情報を送信することができ、このように、図12に示すように、制御器1200は更に次の部品を含み、即ち、
情報受信ユニット1202：情報受信ユニット1202は、該セルが送信した要求メッセージを受信するために用いられ、該要求メッセージは、該セルが１つのセルクラスタに加入し、或いは、該セルが前記セルの所在するセルクラスタから離れ、或いは、該セルが該セルの所在するセルクラスタからもう１つのセルクラスタに変更するように要求することを示すために用いられる。
【０１６９】
このように、情報送信ユニット1201は情報受信ユニット1202が受信した要求メッセージに基づいて、対応する構成を行うことができる。
【０１７０】
本実施例では、制御器1200は更に次の部品を含んでも良く、即ち、
情報通知ユニット1203：情報通知ユニット1203は、該セルの所在するセルクラスタ中の他のセルに、該セルが該セルクラスタを離れること、及び／又は、該セルが該セルクラスタに加入することを通知するために用いられ；そのうち、該セルの所在するセルクラスタは、既に離れた又は離れるつもりのセルクラスタ、及び／又は、該セルが加入するセルクラスタを含む。具体的には実施例2と同様であるため、ここでは詳しい説明を省略する。
【０１７１】
本実施例では、制御器1200は具体的にマクロ基地局、コアネット又は他の物理的実体であっても良く、これは実施例1、2と同様であるため、ここでは詳しい説明を省略する。
【０１７２】
本実施例では、該ネットワーク側制御器がマクロ基地局である時に、該制御器及び該セル間の交互はX2インターフェース又はXnインターフェースにより実現することができ；該制御器がコアネットである時に、該制御器及び該セル間の交互はS1インターフェースにより実現することができ；該制御器が１つのセルクラスタ制御のために専用する物理装置である時に、１つの新インターフェースを定義し、該制御器及び該セル間は、該インターフェースを用いてやり取りを行っても良い。
【０１７３】
本実施例では、情報受信ユニット1202及び情報通知ユニット1203は選択可能な部品である。
【０１７４】
本実施例では、情報送信ユニット1201、情報受信ユニット1202及び情報通知ユニット1203の具体的な実施は実施例2と同様であるため、ここでは詳しい説明を省略する。
【実施例１６】
【０１７５】
本発明の実施例16は通信システムを提供し、該システムは実施例14に記載のセルの基地局及び実施例15に記載の制御器を含んでも良い。その具体的な実施過程は実施例3と同様であるため、ここでは詳しい説明を省略する。
【実施例１７】
【０１７６】
図13は本発明の実施例17による基地局の構成図である。ネットワーク側で制御器を設置しない時に、該基地局はセルの基地局に対応し、ターゲットセルへの申請に基づいて、セルのセルクラスタに対して加入、離れ又は変更を行うことができる。
【０１７７】
図13に示すように、基地局1300は第一送信ユニット1301及び第一処理ユニット1302を含む。
【０１７８】
第一送信ユニット1301は、ターゲットセルにメッセージを送信するために用いられ、該メッセージは、セルが該ターゲットセルの所在するセルクラスタに加入し、及び／又は、それを離れるように要求することを指示するために用いられ；
そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含み、具体的には実施例4と同様であるため、ここでは詳しい説明を省略する。
【０１７９】
第一処理ユニット1302は、該メッセージを送信した後に、或いは、該ターゲットセルからの許可確認メッセージを受信した時に、該セルを該ターゲットセルの所在するセルクラスタに加入させ、及び／又は、それを離れさせるために用いられる。
【０１８０】
本実施例では、基地局1300は更に次の部品を含んでも良く、即ち、
第二送信ユニット1303：第二送信ユニット1303は、該セルに隣接する隣接セル、或いは、該セルと同じセルクラスタに位置する他のセルに、該セルの所在するセルクラスタに変化が生じることを示すメッセージを送信するために用いられ；該セルの所在するセルクラスタは、該セルが既に離れた又は離れるつもりのセルクラスタ、及び／又は、該セルが加入するセルクラスタを含む。
【０１８１】
そのうち、第一送信ユニット1301、第一処理ユニット1302、第二送信ユニット1303の実施方式は実施例4と同様であるため、ここでは詳しい説明を省略する。第二送信ユニット1303は選択可能な部品である。
【０１８２】
本実施例から分かるように、基地局1300は、送信したメッセージにより、１つのセルを１つのセルクラスタに加入させ、或いは、１つのセルクラスタから離れさせ、或いは、１つのセルクラスタからもう１つのセルクラスタに変更させることができるため、セルクラスタは動的に変化することができる。よって、セルクラスタ内の強化メカニズムにより利益を得ることができ。
【０１８３】
また、基地局1300は更に他の周知の部品を含んでも良く、これは図11に示す実施例14と同様であるため、ここでは詳しい説明を省略する。
【実施例１８】
【０１８４】
本発明の実施例18は更に基地局を提供する。それは実施例17に記載のターゲットセルの基地局に対応する。
【０１８５】
本実施例では、該基地局は受信ユニットを含み、該受信ユニットは、セルの基地局が送信したメッセージを受信するために用いられ、該メッセージは、該セルがターゲットセルの所在するセルクラスタに加入し、及び／又は、それを離れるように要求することを示すためのものであり；そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含む。
【０１８６】
本実施例では、該基地局は更に第一情報送信ユニットを含んでも良く、該第一情報送信ユニットは、該セルの該ターゲットセルに対しての加入及び／又は離れを受けるかを確定し、受けると確定した場合、該セルの基地局に許可確認メッセージを送信するために用いられる。該第一情報送信ユニットは選択可能な部品である。
【０１８７】
本実施例では、該基地局は更に第二情報送信ユニットを含んでも良く、該第二情報送信ユニットは、セルクラスタ変更後に、該セルの隣接セル、或いは、該セルと同じセルクラスタに位置する他のセルに、該セルの所在するセルクラスタに変化が生じることを示すメッセージを送信するために用いられ；該セルの所在するセルクラスタは、既に離れた又は離れるつもりのセルクラスタ、及び／又は、該セルが加入するセルクラスタを含む。該第二情報送信ユニットは選択可能な部品である。
【０１８８】
また、該基地局は更に他の周知の部品を含んでも良く、これは図11に示す実施例14と同様であるため、ここでは詳しい説明を省略する。
【実施例１９】
【０１８９】
図14は本発明の実施例19による基地局の構成図である。該基地局は実施例17のセルの基地局に隣接するセルの基地局、或いは、該セルと同じセルクラスタに位置する他のセルの基地局に対応する。
【０１９０】
図14に示すように、基地局1400は第一受信ユニット1401及び第一通知ユニット1402を含む。
【０１９１】
第一受信ユニット1401は、セルの基地局或いはターゲット基地局の送信した、該セルの所在するセルクラスタの変化を示すメッセージを受信するために用いられ；そのうち、該セルの所在するセルクラスタは、既に離れた又は離れるつもりのセルクラスタ、及び／又は、該セルが加入するセルクラスタを含む。
【０１９２】
第一通知ユニット1402は、所属する基地局のセルに、該セルの該セルクラスタに対しての離れ及び又は加入、及び／又は、該セルのセルクラスタの変化の状況を送信するために用いられる。
【０１９３】
そのうち、第一受信ユニット1401、第一通知ユニット1402の実施方式は実施例6と同様であるため、ここでは詳しい説明を省略する。
【０１９４】
また、基地局1400は更に他の周知の部品を含んでも良く、これは図11に示す実施例14と同様であるため、ここでは詳しい説明を省略する。
【実施例２０】
【０１９５】
本発明の実施例20は更に通信システムを提供し、該通信システムは実施例17に記載の基地局及び実施例18に記載の基地局を含み、その具体的な構成は実施例17及び18を参照することができるため、ここでは詳しい説明を省略する。また、該通信システムは更に、実施例19に記載の基地局を含んでも良く、その具体的な構成は実施例19と同様であるため、ここでは詳しい説明を省略する。
【０１９６】
該システムの具体的な実施は、セルのセルクラスタに対しての加入、離れ又は変更に関し、なお、これについては、実施例4〜9を参照することができるため、ここでは詳しい説明を省略する。
【実施例２１】
【０１９７】
本発明の実施例21は更に基地局の構成を提供する。実施例14、実施例17に記載の基地局をもとに、本実施例では、該基地局は、上述の基地局の各部品以外に、情報更新ユニットを更に含んでも良く、該情報更新ユニットは、該セルのセルクラスタIDを更新するために用いられる。
【０１９８】
具体的な更新方法は実施例10と同様である。例えば、該セルのセルIDが該セルの所在するセルクラスタと関係しない時に、即ち、該セルのセルクラスタに対しての加入、離れ或いは変更を行った後に、セルIDに変化が無い場合、該情報更新ユニットは、該システムメッセージに含まれているセルクラスタIDを変更すれば良い。
【０１９９】
該セルのセルIDが該セルの所在するセルクラスタと関係する時に、即ち、セルクラスタに対しての加入、離れ又は変更が行われた後に、セルIDに変化がある場合、例えば、セルIDは、セルクラスタ及びセルにより共同決定される。セルの一次IDはセルクラスタIDであり、セルの二次IDはセルクラスタ内の仮想IDである。
【０２００】
該セルのセルIDが該セルの所在するセルクラスタに関係する場合、該セルIDが該セルの基地局及びユーザ装置の送信した物理信号に関係しなければ、セルクラスタ変更後に、該セルの基地局は、システム情報中のセルクラスタIDを変更する。
【０２０１】
本実施例では、該セルのセルIDが該セルの所在するセルクラスタに関係する場合、該セルIDが該セルの基地局及びユーザ装置の送信した物理信号に関係すれば、例えば、下りリンクコモン信号のシーケンス及び位置、及び／又は、上りリンク/下りリンクユーザ専用パイロット信号のシーケンスが、セルIDに関係するランダムシーケンスによりスクランブリングされているときになど、該セルの基地局は、対応する操作を行うことができ、これについては、以下の実施例において説明する。
【実施例２２】
【０２０２】
本発明の実施例は更に基地局を提供する。実施例21をもとに、セルのセルIDが該セルの所在するセルクラスタに関係する場合、該セルIDが該セルの基地局及びユーザ装置の送信した物理信号に関係すれば、該装置は更に次の部品を含んでも良く、即ち、
第三送信ユニット及び第四送信ユニット：第三送信ユニットは、ユーザ装置に指示メッセージを送信するために用いられ、該指示メッセージは、該セルID、及び／又は、関連する上りリンク及び／又は下りリンクの送信信号の変更を示すために用いられ、該指示メッセージは、変更後のセルID、及び／又は、該セルID及び／又は関連する上りリンク及び／又は下りリンクの送信信号を変更する時間を含み；また、第四送信ユニットは、該時間に、該セルID、及び／又は、関連する上りリンク及び／又は下りリンクの送信信号を変更するために用いられる。具体的な実施過程は実施例11と同様であるため、ここでは詳しい説明を省略する。
【０２０３】
このような場合、ユーザ装置は、該セルIDの変更を指示するためのメッセージを受信した後、指定された時点に、受信した新セルIDを用いて、システム情報、及び／又は、セルコモン信号、下り制御チャネルを識別し、或いは、自分の上りリンク信号中のセルIDに関係するスクランブリングシーケンス及び参照信号シーケンスなどを変更することができる。具体的には実施例11を参照することができるため、ここでは詳しい説明を省略する。
【実施例２３】
【０２０４】
図15は本発明の実施例23によるユーザ装置の構成図である。ユーザ装置1500は次の部品を含み、即ち、
第二受信ユニット1501：第二受信ユニット1501は、セルの所在するセルクラスタの変化が生じる時に、該セルの基地局が送信した指示情報を受信するために用いられ、該指示メッセージは、セルID、及び／又は、関連する上りリンク及び／又は下りリンクの送信信号の変更を示すためのものであり；該指示メッセージは、変更後のセルID、及び／又は、該セルID及び／又は関連する上りリンク及び／又は下りリンクの送信信号の変更時間を含む。
【０２０５】
第六送信ユニット1502：第六送信ユニット1502は、該指示メッセージが指示した変更時間に、該変更後のセルIDを用いて、該セルの基地局が送信したシステム情報、及び／又はコモン信号、及び／又は下りリンク制御信号を受信し、及び／又は、該ユーザ装置の上りリンク信号中のセルIDに関連するスクランブリングシーケンス又は参照信号シーケンスを変更するために用いられる。
【０２０６】
本実施例では、ユーザ装置1500は、上述の機能を実現する部品以外に、従来技術に類似した部品を含んでも良い。
【０２０７】
図16は本発明の実施例23によるユーザ装置の構成図である。例えば、該ユーザ装置は携帯電話であり、なお、該図は例示に過ぎない。
【０２０８】
図16に示すように、ユーザ装置1600は、上述の第二受信ユニット1501及び第六送信ユニット1502の他に、更に主制御回路1601、送受信機1606、入力ユニット1604、音声処理ユニット1607、記憶器1602、表示器1609、電源1610などを含んでも良い。上述の部品の機能は従来技術と同様であるため、ここでは詳しい説明を省略する。携帯電話1600の各部品は、専用ハードウェア、ファームウェア、ソフトウェア、又は、それらの組み合わせにより実現することができ、これらはすべて本発明の範囲に属する。
【実施例２４】
【０２０９】
本発明の実施例24は更に基地局を提供する。実施例21をもとに、セルのセルIDが該セルの所在するセルクラスタに関係する場合、該セルIDが該セルの基地局及びユーザ装置の送信した物理信号に関連すれば、該装置は更に次のような部品を含んでも良く、即ち、
第一ハンドオーバーユニット及び第一変更ユニット：第一ハンドオーバーユニットは、所属するセルのユーザ装置を他のセルにハンドオーバーするために用いられ；また、第一変更ユニットは、セルIDを変更し、或いは、セルID及び対応するシステム情報及び／又はコモン信号を変更するために用いられる。
【０２１０】
本実施例では、上述のユーザ装置を１つのセル（例えば、セルA）から他のセル（セルB）にハンドオーバーし、ハンドオーバー後のセルAをセルA1とし、このように、該他のセルBは更に、ハンドオーバーされたユーザ装置をセルA1にハンドオーバーにより返し、或いは、セルBに保留し、或いは、より適切な第三セルにハンドオーバーすることができる。具体的な実施は実施例12と同様であるため、ここでは詳しい説明を省略する。
【実施例２５】
【０２１１】
本発明の実施例25は基地局を提供する。実施例24をもとに、実施例24の基地局の第一ハンドオーバーユニットが、所属するセルのユーザ装置を他のセルにハンドオーバーした後に、本実施例の基地局は、該ユーザ装置がセルの捜索及び測定を行うように構成し、また、該ユーザ装置が報告する測定報告に基づいて、該ユーザ装置をセルID変更済みのセルA1にハンドオーバーするか、或いは、該他のセルにより引き続き該ユーザ装置をサービングするか、或いは、該ユーザ装置をより適切な第三セルにハンドオーバーするかを判断することができる。該ハンドオーバー過程は従来技術と同様であるため、ここでは詳しい説明を省略する。
【０２１２】
本実施例では、セル捜索を行う過程では、該基地局は更に情報送信ユニットを含んでも良く、該情報送信ユニットは、該ユーザ装置に補助情報（セルID変更後のセルA1に関する）を提供するために用いられ、該補助情報は、該ユーザ装置がセルID未変更のセルを使用し得るタイミングを指示し、及び／又は、該ユーザ装置がランダムアクセスプロセス中で元のC-RNTIを用いてセルID変更後のセルにハンドオーバーし得ることを指示するために用いられ；或いは、該補助情報は、該ユーザ装置がセルID未変更のセルを使用し得るタイミングを指示し、及び、該ユーザ装置がランダムアクセスプロセス中で元のC-RNTIを用いてセルID変更後のセルにハンドオーバーし得ること、及び、該ユーザ装置がランダムアクセスを行わずセルID変更後のセルに直接アクセスすることを指示するために用いられる。具体的には、実施例12と同様であるから、ここでは詳しい説明を省略する。
【実施例２６】
【０２１３】
本発明の実施例26はユーザ装置を提供する。該ユーザ装置は第三受信ユニットを含み、該第三受信ユニットは、セルの所在するセルクラスタの変化時に、該セルから他のセルにハンドオーバーするユーザ装置が、前記他のセルの基地局が該ユーザ装置に送信した補助情報を受信するために用いられ、該補助情報は、該ユーザ装置がセルID未変更のセルを使用し得るタイミングを指示し、及び／又は、該ユーザ装置がランダムアクセスプロセス中で元のC-RNTIを用いてセルID変更後のセルにハンドオーバーし得ることを指示するために用いられる。
【０２１４】
或いは、前記補助情報は、前記ユーザ装置がセルID未変更のセルを使用し得るタイミングを指示し、及び、前記ユーザ装置がランダムアクセスプロセス中で元のC-RNTIを用いてセルID変更後のセルにハンドオーバーし得ること、及び、前記ユーザ装置がランダムアクセスを行わず、セルID変更後のセルを直接アクセスすることを指示するために用いられる。具体的には、実施例11と同様であるため、ここでは詳しい説明を省略する。
【実施例２７】
【０２１５】
本発明の実施例27は更に基地局を提供する。実施例21をもとに、セルのセルIDが該セルの所在するセルクラスタに関係する場合、該セルIDが該セルの基地局及びユーザ装置の送信した物理信号に関連すれば、該装置は更に次のような部品を含んでも良い。
【０２１６】
該基地局は第一スケジューリングユニットを含んでも良く、該第一スケジューリングユニットは、セルの一部のサブフレーム上でのユーザ装置のスケジューリングを停止するために用いられ、該一部のサブフレームは空サブフレームと称される。
【０２１７】
該基地局は更に第五送信ユニット及び第二変更ユニットを含んでも良く；そのうち、該第五送信ユニットは、該空サブフレーム上で、変更後のセルIDに対応するシステム情報及び／又はコモン信号を送信し；該第二変更ユニットは、未変更のセルIDに対応するシステム情報及び／又はコモン信号を送信するサブフレームを変更し、これにより、全てのサブフレームは、変更後のセルIDに対応するシステム情報及び／又はコモン信号を送信するようになる。
【０２１８】
また、該基地局は更に第二スケジューリングユニット及び第三スケジューリングユニットを含み；そのうち、該第二スケジューリングユニットは、該第五送信ユニットがシステム情報及び／又はコモン信号を送信した後に、変更後のセルIDに対応するシステム情報及びコモン信号を送信するサブフレーム上で、該ユーザ装置をスケジューリングし；該第三スケジューリングユニットは、該第二変更ユニットがサブフレームを変更した後に、全てのサブフレーム上で該ユーザ装置をスケジューリングするために用いられる。
【０２１９】
本実施例では、該基地局は更に第一構成ユニットを含んでも良く；該第一構成ユニットは、ユーザ装置がセルID変更後のセルを捜索し、そして、サブフレームのパターンを用いて該セルID変更後のセルを測定するように構成するために用いられる。
【０２２０】
或いは、該基地局は更に第二ハンドオーバーユニットを含んでも良く、該第二ハンドオーバーユニットは、所属するセルのユーザ装置をセルID変更後のセルにハンドオーバーし、或いは、測定結果に基づいて、ハンドオーバーを行う必要のあるユーザ装置をセルID変更後のセル或いは他のセルにハンドオーバーするために用いられる。
【０２２１】
本実施例では、該基地局は更に情報提供ユニットを含み、該情報提供ユニットは、該ユーザ装置に補助情報を提供するために用いられ、該補助情報は、該ユーザ装置がセルID未変更のセルを使用し得るタイミングを指示し、及び／又は、該ユーザ装置がランダムアクセスプロセス中で元のC-RNTIを用いてセルID変更済みのセルにハンドオーバーし得ることを指示するために用いられ；或いは、該補助情報は、該ユーザ装置がセルID未変更のセルを利用し得るタイミングを指示し、及び、該ユーザ装置がランダムアクセスプロセス中で元のC-RNTIを用いてセルID変更後のセルにハンドオーバーし得ること、及び、該ユーザ装置がランダムアクセスを行わず該セルID変更後のセルに直接アクセスすることを指示するために用いられる。上述の装置の具体的な実施は実施例13と同様であるため、ここでは詳しい説明を省略する。
【実施例２８】
【０２２２】
本発明の実施例28は通信システムを提供する。実施例16又は実施例20のシステムをもとに、該通信システムは更に実施例23及び／又は実施例26に記載のユーザ装置及び／又は実施例25に記載の基地局を含んでも良い。そのうち、該基地局はユーザ装置に補助情報を送信することができ、具体的には、実施例25と同様であるため、ここでは詳しい説明を省略する。
【０２２３】
該ユーザ装置は他のセル基地局（例えばセルBの基地局）が送信した補助情報を受信することができ、或いは、セルの基地局（例えばセルAの基地局）が送信した指示情報を受信することができ、具体的には実施例26又は実施例24と同様であるため、ここでは詳しい説明を省略する。
【０２２４】
本発明の実施例は更にコンピュータ可読プログラムを提供し、そのうち、基地局中で前記プログラムを実行する時に、前記プログラムはコンピュータに、前記基地局中で実施例1、3〜13に記載のセルクラスタ変更方法を実行させる。
【０２２５】
本発明の実施例は更にコンピュータ可読プログラムを記憶した記憶媒体を提供し、そのうち、前記コンピュータ可読プログラムは、コンピュータに、基地局中で実施例1、3〜13に記載のセルクラスタ変更方法を実行させる。
【０２２６】
本発明の実施例は更にコンピュータ可読プログラムを提供し、そのうち、制御器中で前記プログラムを実行する時に、前記プログラムは、コンピュータに、制御器中で実施例2に記載のセルクラスタ変更方法を実行させる。
【０２２７】
本発明の実施例は更にコンピュータ可読プログラムを記憶した記憶媒体を提供し、そのうち、前記コンピュータ可読プログラムは、コンピュータに、制御器中で実施例2に記載のセルクラスタ変更方法を実行させる。
【０２２８】
本発明の実施例は更にコンピュータ可読プログラムを提供し、そのうち、ユーザ装置中で前記プログラムを実行する時、前記プログラムは、コンピュータに、ユーザ装置中で実施例11〜12に記載の情報受信方法を実行させる。
【０２２９】
本発明の実施例は更にコンピュータ可読プログラムを記憶した記憶媒体を提供し、そのうち、前記コンピュータ可読プログラムは、コンピュータに、ユーザ装置中で施例11〜12に記載の情報受信方法を実行させる。
【０２３０】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、flashメモリなどにも関する。
【０２３１】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2016530836.tif 000003
【図２】
2016530836.tif 000004
【図３Ａ】
2016530836.tif 000005
【図３Ｂ】
2016530836.tif 000006
【図４】
2016530836.tif 000007
【図５】
2016530836.tif 000008
【図６】
2016530836.tif 000009
【図７Ａ】
2016530836.tif 000010
【図７Ｂ】
2016530836.tif 000011
【図８】
2016530836.tif 000012
【図９】
2016530836.tif 000013
【図１０】
2016530836.tif 000014
【図１１】
2016530836.tif 000015
【図１２】
2016530836.tif 000016
【図１３】
2016530836.tif 000017
【図１４】
2016530836.tif 000018
【図１５】
2016530836.tif 000019
【図１６】
2016530836.tif 000020
【手続補正書】
【提出日】平成28年7月12日(2016.7.12)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、特に、セルクラスタ（cell  cluster）変更方法、基地局及びユーザ装置（UE）に関する。
【背景技術】
【０００２】
移動データのサービスの需要量の飛躍的な増加に伴い、如何に従来の移動通信ネットワークを進化させて新しい技術を開発し、このように急速に伸びているサービスの需要量を満足し得るかは、移動通信分野の注目点の一つとなっている。
【０００３】
今のところ、可能な解決案のうちの一つとしては、スモールセル（Small  cell）を採用して物理リソースの再利用率を上げることがある。また、カバレッジ（カバーする面積）が同じである前提で、複数のSmall  cellで１つのマクロ（macro  cell）を置換することにより、電力のオーバヘッドを有効に節約することもできる。Small  cellは、省エネのグリーン・テクノロジーであり、柔軟な配置にとって有利であり、また、ユーザの数及びサービスのデータ量に基づいて柔軟にオープン及びクローズすることもできる。
【０００４】
Small  cellを密集配置する方法の１つとしては、Small  cellをセルクラスタ（cell  cluster）に分割することがあり、このような分割は、通信事業者によってSmall  cell配置時に設定されても良く、Small  cellが所定条件に基づいて自発的に行っても良い。Small  cellの組分けは、干渉の協調及びUEハンドオーバーの最適化にとって有利である。
【０００５】
なお、上述の背景技術についての紹介は、本発明の技術案を明確且つ完全に説明し、当業者がそれを理解しやすいためのものである。これらの案は、本発明の背景技術の部分に記述されているため、当業者にとって周知であると解釈すべきではない。
【発明の概要】
【発明が解決しようとする課題】
【０００６】
しかし、同一のホットスポットエリアでは、異なる期間のサービスの需要量がかなり異なる可能性がある。例えば、商用又はオフィスエリアでは、昼は、ネットワークにアクセスする必要のあるユーザ装置が多くあるため、データの需要量が大きくなるが、夜は、UEの数が急激に下がる。同一エリアに配置されるSmall  cellは、データの需要量が大きくなる時に全てオープンすることができ、この時は密集配置類型に属する。Small  cellの組分けが配置時に通信事業者によって固定されるものであれば、スモールセルクラスタ（Small  cell  cluster）内の強化メカニズム（例えば、干渉の協調及びUEハンドオーバーの最適化）は、１つのSmall  cell  cluster中で幾つかのみのSmall  cellがオープンしている時に、取得し得る利得が限られている。言い換えると、Small  cell  cluster中の大多数のセルがオープン状態にある時にのみ、比較的良い利得を得ることができる。
【０００７】
本発明の実施例はセルクラスタ変更方法、基地局及びユーザ装置を提供し、これにより、セルクラスタが動的に変化するようにさせることができるため、より多くの場合では、Small  cell  cluster内の強化メカニズムによって利益を得ることができる。
【課題を解決するための手段】
【０００８】
本発明の実施例の第一側面によれば、セルクラスタ変更方法が提供され、該方法は、
セルの基地局が、受信した、ネットワーク側制御器の送信した指示情報に基づいて、該セルを１つのセルクラスタに加入させ、或いは、該セルを該セルの所在するセルクラスタから離れさせ、或いは、該セルを該セルの所在するセルクラスタからもう１つのセルクラスタに変更させることを含む。
【０００９】
本発明の実施例の第二側面によれば、セルクラスタ変更方法が提供され、該方法は、
ネットワーク側制御器がセルの基地局に指示情報を送信することを含み、該指示情報は、セルが１つのセルクラスタに加入し、或いは、該セルが該セルの所在するセルクラスタから離れ、或いは、該セルが該セルの所在するセルクラスタからもう１つのセルクラスタに変わることを指示するために用いられる。
【００１０】
本発明の実施例の第三側面によれば、セルクラスタ変更方法が提供され、該方法は、
セルの基地局がネットワーク側制御器又はターゲットセルにメッセージを送信し、該メッセージは、該セルが、該ターゲットセルの所在するセルクラスタに加入し、及び／又は、それから離れるように要求することを指示するために用いられ、そのうち、該ターゲットセルは、該セルが加入するつもりのセルクラスタ中の１つ又は１つ以上のセル、及び／又は、該セルが離れるつもりのセルクラスタ中の他の１つ又は１つ以上セルを含み；及び
該セルの基地局が、該メッセージを送信した後に、或いは、該ターゲットセルからの許可確認メッセージを受信した時に、該セルを、該ターゲットセルの所在するセルクラスタに加入させ、及び／又は、それから離れさせることを含む。
【００１１】
本発明の実施例の第四側面によれば、セルクラスタ変更方法が提供され、該方法は、
ターゲットセルがセルの基地局の送信したメッセージを受信することを含み、該メッセージは、該セルが該ターゲットセルの所在するセルクラスタに加入し、及び／又は、それから離れるように要求することを指示するために用いられ、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含む。
【００１２】
本発明の実施例の第五側面によれば、セルクラスタ変更方法が提供され、該方法は、
セルに隣接する隣接セル、或いは、セルと同じセルクラスタにある他のセルが、該セルの基地局、或いは、ターゲットセルの基地局の送信した、該セルの所在するセルクラスタの変化が生じることを示すためのメッセージを受信し、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含み、該セルの所在するセルクラスタは、該セルが離れた又は離れるつもりのセルクラスタ、及び／又は、該セルが加入するセルクラスタを含み；及び
該隣接セル又は該他のセルが、その隣接セル、又は、該他のセルの所在するセルクラスタの他のセルに、該セルが該セルクラスタから離れ、及び／又は、該セルクラスタに加入すること、及び／又は、該セルのセルクラスタの変化の状況を通知することを含む。
【００１３】
本発明の実施例の第六側面によれば、情報受信方法が提供され、該方法は、
セルの所在するセルクラスタの変化が生じる時に、ユーザ装置が、該セルの基地局の送信した指示情報を受信し、該指示メッセージは、セルID、及び／又は、関連する上りリンク及び／又は下りリンクの送信信号の変更が生じることを指示するために用いられ、該指示メッセージは、変更されるセルID、及び／又は、該セルID及び／又は関連する上りリンク及び／又は下りリンクの送信信号が変更される時間を含み；及び
該指示メッセージが指示した時間に、該変更されるセルIDを用いて、該セルの基地局が送信したシステム情報、及び／又は、コモン信号、及び／又は、下りリンク制御信号を受信し、及び／又は、該ユーザ装置の上りリンク信号中のセルIDに関するスクランブリングシーケンス又は参照信号シーケンスを変更することを含む。
【００１４】
本発明の実施例の第七側面によれば、情報受信方法が提供され、該方法は、
セルの所在するセルクラスタの変化が生じる時に、該セルから他のセルにハンドオーバーするユーザ装置が、該他のセルの基地局により該ユーザ装置に送信された補助情報を受信することを含み、該補助情報は、該ユーザ装置が、セルIDが変更されていないセルを使用し得るタイミングを指示し、及び／又は、該ユーザ装置が、ランダムアクセスプロセス中で、元のセルの無線ネットワーク一時ID（ＲＮＴＩ）を用いて、セルIDが変更されているセルにハンドオーバーし得ることを指示するために用いられ；又は、
該補助情報は、該ユーザ装置が、セルIDが変更されていないセルを使用し得るタイミングを指示し、及び、該ユーザ装置が、ランダムアクセスプロセス中で、元のセルの無線ネットワーク一時IDを用いて、セルIDが変更されているセルにハンドオーバーし得ること、及び、該ユーザ装置が、ランダムアクセスを行わず、該セルIDが変更されているセルに直接アクセスすることを示すために用いられる。
【００１５】
本発明の実施例の第八側面によれば、基地局が提供され、該基地局は、
受信されたネットワーク側制御器の送信した指示情報に基づいて、セルを１つのセルクラスタに加入させ、或いは、セルを該セルの所在するセルクラスタから離れさせ、或いは、セルを該セルの所在するセルクラスタからもう１つのセルクラスタに変更させるための処理ユニットを含む。
【００１６】
本発明の実施例の第九側面によれば、制御器が提供され、該制御器は、
セルの基地局に指示情報を送信するための情報送信ユニットであって、該指示情報は、セルが１つのセルクラスタに加入し、或いは、セルが該セルの所在するセルクラスタから離れ、或いは、セルが該セルの所在するセルクラスタからもう１つのセルクラスタに変更することを指示するために用いられる、情報送信ユニットを含む。
【００１７】
本発明の実施例の第十側面によれば、基地局が提供され、該基地局は、
ターゲットセル或いはネットワーク側制御器にメッセージを送信するための第一送信ユニットであって、該メッセージは、該基地局のセルが該ターゲットセルの所在するセルクラスタに加入し、及び／又は、それから離れるように要求することを指示するために用いられ、そのうち、該ターゲットセルは、該セルが加入する必要のあるセルクラスタ中の１つ又は１つ以上のセル、及び／又は、該セルが離れる必要のあるセルクラスタ中の他の１つ又は１つ以上のセルを含む、第一送信ユニット；及び
該メッセージ後が送信された後に、或いは、該ターゲットセルの許可確認メッセージが受信された時に、該セルを該ターゲットセルの所在するセルクラスタに加入させ、及び／又は、それから離れさせるための第一処理ユニットを含む。
【００１８】
本発明の実施例の第十一側面によれば、基地局が提供され、該基地局は、
セルの基地局が送信したメッセージを受信するための受信ユニットであって、該メッセージは、該セルがターゲットセルの所在するセルクラスタに加入し、及び／又は、それから離れるように要求することを指示するために用いられ、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含む、受信ユニットを含む。
【００１９】
本発明の実施例の第十二側面によれば、基地局が提供され、該基地局は、
セルの基地局又はターゲットセルの基地局の送信した、該セルの所在するセルクラスタの変化が生じることを示すためのメッセージを受信するための第一受信ユニットであって、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含み、該セルの所在するセルクラスタは、該セルが離れた又は離れるつもりのセルクラスタ、及び／又は、該セルが加入するセルクラスタを含む、第一受信ユニット；及び
該基地局のセルに、該セルが該セルクラスタから離れ、及び／又は、該セルクラスタに加入すること、及び／又は、該セルのセルクラスタの変化の状況を通知するための第一通知ユニットを含む。
【００２０】
本発明の実施例の第十三側面によれば、ユーザ装置が提供され、該ユーザ装置は、
セルの所在するセルクラスタの変化が生じる時に、該セルの基地局の送信した指示情報を受信するための第二受信ユニットであって、該指示メッセージは、セルID、及び／又は、関連する上りリンク及び／又は下りリンクの送信信号の変更が生じることを指示するために用いられ、該指示メッセージは、変更されるセルID、及び／又は、該セルID及び／又は関連する上りリンク及び／又は下りリンクの送信信号が変更される時間を含む、第二受信ユニット；及び
該指示メッセージが指示した時間に、該変更されるセルIDを用いて、該セルの基地局が送信したシステム情報、及び／又は、コモン信号、及び／又は、下りリンク制御信号を受信し、及び／又は、該ユーザ装置の上りリンク信号中のセルIDに関するスクランブリングシーケンス又は参照信号シーケンスを変更するための第六送信ユニットを含む。
【００２１】
本発明の実施例の第十四側面によれば、ユーザ装置が提供され、該ユーザ装置は、
該ユーザ装置が所属するセルの所在するセルクラスタの変化が生じ、該ユーザ装置が該セルから他のセルにハンドオーバーする時に、該他のセルの基地局により該ユーザ装置に送信された補助情報を受信するための第三受信ユニットを含み、
該補助情報は、該ユーザ装置が、セルIDが変更されていないセルを使用し得るタイミングを指示し、及び／又は、該ユーザ装置が、ランダムアクセスプロセスで、元のセルの無線ネットワーク一時IDを用いて、セルIDが変更されているセルにハンドオーバーし得ることを指示するために用いられ；又は
該補助情報は、該ユーザ装置が、セルIDが変更されていないセルを使用し得るタイミングを指示し、該ユーザ装置が、ランダムアクセスプロセス中で、元のセルの無線ネットワーク一時IDを用いて、セルIDが変更されているセルにハンドオーバーし得ること、及び、該ユーザ装置がランダムアクセスを行わず、該セルIDが変更されているセルに直接アクセスすることを指示するために用いられる。
【００２２】
本発明の実施例の第十五側面によれば、コンピュータ可読プログラムが提供され、そのうち、基地局中で前記プログラムを実行する時に、前記プログラムは、コンピュータに、基地局中で実施例の第一、三、四、五側面に記載のセルクラスタ変更方法を実行させる。
【００２３】
本発明の実施例の第十六側面によれば、コンピュータ可読プログラムを記憶した記憶媒体が提供され、そのうち、前記コンピュータ可読プログラムは、コンピュータに、基地局中で実施例の第一、三、四、五側面に記載のセルクラスタ変更方法を実行させる。
【００２４】
本発明の実施例の第十七側面によれば、コンピュータ可読プログラムが提供され、そのうち、ユーザ装置中で前記プログラムを実行する時に、前記プログラムは、コンピュータに、ユーザ装置中で実施例の第六、第七側面に記載の情報受信方法を実行させる。
【００２５】
本発明の実施例の第十八側面によれば、コンピュータ可読プログラムを記憶した記憶媒体が提供され、そのうち、前記コンピュータ可読プログラムは、コンピュータに、ユーザ装置中で実施例の第六、第七側面に記載の情報受信方法を実行させる。
【００２６】
本発明の実施例の第十九側面によれば、コンピュータ可読プログラムが提供され、そのうち、制御器中で前記プログラムを実行する時に、前記プログラムは、コンピュータに、制御器中で実施例の第二側面に記載のセルクラスタ変更方法を実行させる。
【００２７】
本発明の実施例の第二十側面によれば、コンピュータ可読プログラムを記憶した記憶媒体が提供され、そのうち、前記コンピュータ可読プログラムは、コンピュータに、制御器中で実施例の第二側面に記載のセルクラスタ変更方法を実行させる。
【００２８】
本発明の実施例の有益な効果は、ネットワーク側の構成又はターゲットセルへの申請により、セルの基地局が、該セルを１つのセルクラスタに加入させ、或いは、１つのセルクラスタから離れさせ、或いは、１つのセルクラスタからもう１つのセルクラスタに変更させることで、セルクラスタは動的に変化することができる。よって、セルクラスタ内の強化メカニズムにより利益を得ることができる。
【００２９】
後述の説明及び図面を参照することで、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００３０】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００３１】
なお、「含む／有する」のような用語は、本明細書に使用されるときに、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００３２】
含まれている図面は、本発明の実施例への更なる理解を提供するために用いられ、これらの図面は、本明細書の一部を構成しており、本発明の実施形態を例示し、文字記載とともに本発明の原理を説明するために用いられる。また、明らかのように、次に記載されている図面は、本発明の幾つかの実施例を示すためのものに過ぎず、当業者は、創造性のある労働をせずに、これらの図面に基づいて他の図面を得ることもできる。
【図１】本発明の実施例1におけるセルクラスタ変更方法のフローチャートである。
【図２】本発明の実施例2におけるセルクラスタ変更方法のフローチャートである。
【図３Ａ】本発明の実施例3におけるセルクラスタ変更方法のフローチャートである。
【図３Ｂ】本発明の実施例3におけるセルクラスタ変更方法のフローチャートである。
【図４】本発明の実施例4におけるセルクラスタ変更方法のフローチャートである。
【図５】本発明の実施例6におけるセルクラスタ変更方法のフローチャートである。
【図６】本発明の実施例7におけるセルクラスタ変更方法のフローチャートである。
【図７Ａ】本発明の実施例8におけるセルクラスタ変更方法のフローチャートである。
【図７Ｂ】本発明の実施例8におけるセルクラスタ変更方法のフローチャートである。
【図８】本発明の実施例10におけるセルクラスタ変更方法のフローチャートである。
【図９】本発明の実施例13におけるセルクラスタ変更方法のフローチャートである。
【図１０】本発明の実施例14における基地局の構成図である。
【図１１】本発明の実施例14における基地局の構成図である。
【図１２】本発明の実施例15における制御器の構成図である。
【図１３】本発明の実施例17における基地局の構成図である。
【図１４】本発明の実施例19における基地局の構成図である。
【図１５】本発明の実施例23におけるユーザ装置の構成図である。
【図１６】本発明の実施例23におけるユーザ装置の構成図である。
【発明を実施するための形態】
【００３３】
以下、図面をもとに、本発明の各種の実施態様について説明する。これらの実施態様は例示に過ぎず、本発明について限定するものではない。
【００３４】
本発明の実施例では、セルは、ネットワーク側の構成に基づいて、又は、自発的に、セルクラスタを構成することができる。各セルは、１つのセルクラスタに加入することができ、１つのセルクラスタから離れることもできる。１つの領域には幾つかのみのセルがオープン状態にある時に、これらのセルは１つのセルクラスタを構成することができる。オープンされたセルの数の増加に伴い、１つのセルクラスタ内のセルの数が一定程度に達した時に、１つの大きなセルクラスタは、若干個の小さいセルクラスタに分割することもできる。また、オープンされたセルの数の減少に伴い、１つのセルクラスタ内のセルの数が一定程度まで下がった時に、若干個のセルクラスタは、１つのセルクラスタに合併することもできる。このように、セルクラスタは動的に変化することができるため、より多くの場合では、セルクラスタ内の強化メカニズムによって利益を得ることができる。
【００３５】
そのうち、該セルは、スモールセル（Small  cell）であっても良いが、該スモールセルに限定されない。以下、図面を参照しながら、本発明の実施例によるセルクラスタ変更方法について詳細に説明する。
【実施例１】
【００３６】
図1は本発明の実施例1によるセルクラスタ変更方法のフローチャートである。図1に示すように、該方法は、
ステップ101：セルの基地局が、受信した、ネットワーク側制御器が送信した指示情報に基づいて、該セルを１つのセルクラスタに加入させ、或いは、該セルをセルの所在するセルクラスタから離れさせ、或いは、該セルを該セルの所在するセルクラスタからもう１つのセルクラスタに変更（移動）させる、というステップを含む。
【００３７】
本実施例から分かるように、１つのセルは、ネットワーク側の構成に基づいて、１つのセルクラスタに加入し、或いは、１つのセルクラスタから離れ、或いは、１つのセルクラスタからもう１つのセルクラスタに変わる（移動する）ことができ、これにより、セルクラスタは、動的に変化することができる。よって、セルクラスタ内の強化メカニズムにより、利益を得ることができ、例えば、セル間干渉の協調及び抑制をより良く行うことで、ユーザ及び／又はネットワークスループットの増加を実現することができる。
【００３８】
本実施例では、該セルが該セルの所在するセルクラスタからもう１つのセルクラスタに変わることは、現在のセルクラスタから離れること、及び、もう１つのセルクラスタに加入することを同時に構成することで実現される。
【００３９】
本実施例では、該セルは、スモールセル（Small  cell）であっても良いが、該スモールセルに限定されない。以下、セルがスモールセルであることを例として説明する。
【００４０】
本実施例では、ネットワーク側制御器はマクロ基地局であっても良く、該マクロ基地局は、そのカバレッジ内のSmall  cellに対してスケジューリング及び協調を行うことで、セルクラスタを構成し、セルをセルクラスタに加入させ又はそれから離れさせ、或いは、１つのセルクラスタからもう１つのセルクラスタに移動させることを担当する。なお、マクロ基地局に限定されず、該ネットワーク側制御器は更に、コアネットであっても良く、或いは、１つの物理的実体であっても良く、即ち、実在する物理装置は、上述のセルクラスタの制御、協調及び変更のために専用することができる。
【００４１】
本実施例では、ネットワーク側制御器がマクロ基地局である時に、該制御器及び該セル間の交互（やり取り）は、X2インターフェース或いはXnインターフェースにより実現することができ；該制御器がコアネットである時に、該制御器及び該セル間の交互は、S1インターフェースにより実現することができ；該制御器が１つのセルクラスタ制御のための専用物理装置である時に、１つの新インターフェースを定義し、該制御器及び該セル間は、該インターフェースを用いてやり取りを行っても良い。
【００４２】
本実施例では、ステップ101の前に、該方法は更に、
ステップ100：該セルの基地局がネットワーク側制御器に要求メッセージを送信し、該要求メッセージは、該セルが１つのセルクラスタに加入し、或いは、該セルが該セルの所在するセルクラスタから離れ、或いは、該セルが該セルの所在するセルクラスタからもう１つのセルクラスタに変わるように要求することを指示するために用いられる、というステップを含んでも良い。
【００４３】
該ネットワーク側制御器が該要求メッセージを受信した時に、先に該要求メッセージに基づいて、該セルが１つのセルクラスタに加入するか、その所在するセルクラスタから離れるか、或いは、その所在するセルクラスタからもう１つのセルクラスタに変わるかを確定し、その後、該セルの基地局にメッセージを返すことができ、該メッセージには、関連する指示情報、例えば、該セルが１つのセルクラスタに加入し、その所在するセルクラスタから離れ、或いは、その所在するセルクラスタからもう１つのセルクラスタに変わることを指示する情報が携帯されている。このように、ステップ101では、該セルの基地局は、該ネットワーク側制御器が返したメッセージ中の指示情報に基づいて動作することができる。本実施例では、ステップ100は選択可能なステップであり、即ち、該セルの基地局は、要求メッセージを送信せず、ネットワーク側制御器の構成に基づいて、対応する動作を直接行っても良い。
【実施例２】
【００４４】
図2は本発明の実施例2によるセルクラスタ変更方法のフローチャートである。図2に示すように、該方法は、
ステップ201：ネットワーク側制御器がセルの基地局に指示情報を送信し、該指示情報により、セルが１つのセルクラスタに加入し、或いは、セルが該セルの所在するセルクラスタから離れ、或いは、該セルが該セルの所在するセルクラスタからもう１つのセルクラスタに変わることを指示する、というステップを含む。
【００４５】
本実施例では、該ネットワーク側制御器は、該セルが１つのセルクラスタに加入するか、或いは、１つのセルクラスタから離れるか、或いは、１つのセルクラスタからもう１つのセルクラスタに変わるかを確定し、その後、確定結果に基づいて該セルの基地局に指示情報を送信することができ、このように、該セルの基地局は、該指示情報に基づいて、セルが１つのセルクラスタに加入し、或いは、該セルの所在するセルクラスタから離れ、或いは、該セルの所在するセルクラスタからもう１つのセルクラスタに移動するようにさせることができる。
【００４６】
本実施例では、上述の制御器は１つのマクロ基地局、コアネット、或いは、物理的実体であっても良く、即ち、実在する物理装置は、セルクラスタの制御のために専用することができる。これは、実施例1と同様であるため、ここでは詳しい説明を省略する。
【００４７】
本実施例では、該セルが該セルの所在するセルクラスタからもう１つのセルクラスタに変わる場合、現在のセルクラスタから離れること、及び、もう１つのセルクラスタに加入することを同時に構成する必要がある。
【００４８】
本実施例では、セルの基地局が要求メッセージを送信する場合、図2に示すように、該方法は更に次のステップを含んでも良く、即ち、
ステップ200：ネットワーク側制御器は、該セルの基地局が送信した要求メッセージを受信し、該要求メッセージは、該セルが１つのセルクラスタに加入し、或いは、該セルが該セルの所在するセルクラスタから離れえ、或いは、該セルが該セルの所在するセルクラスタからもう１つのセルクラスタに変わるように要求することを指示するために用いられる。
【００４９】
また、ステップ201では、該ネットワーク側制御器は、該要求メッセージに基づいて、該セルの基地局に指示情報を送信する。本実施例では、セルが１つのセルクラスタに加入し、該セルの所在するセルクラスタから離れ、又は、該セルの所在するセルクラスタからもう１つのセルクラスタに変わった後に、該方法は更に、
ステップ202：該ネットワーク側制御器が、該セルの所在するセルクラスタ中の他のセルに、該セルが該セルクラスタから離れ、及び／又は、該セルが該セルクラスタに加入することを通知する、というステップを含んでも良く、
そのうち、該セルが１つのセルクラスタに加入する時に、該セルの所在するセルクラスタとは、該セルが加入するセルクラスタを指し；該セルが該セルの所在するセルクラスタから離れる時に、該セルの所在するセルクラスタとは、該セルが離れた又は離れるつもりのセルクラスタを指し；該セルが１つのセルクラスタからもう１つのセルクラスタに変わる時に、該セルの所在するセルクラスタとは、該セルが既に離れたセルクラスタ、及び、該セルが加入するセルクラスタを指す。
【実施例３】
【００５０】
図3Aは本発明の実施例3によるセルクラスタ変更方法のフローチャートである。図3Aに示すように、該方法は次のステップを含み、即ち、
ステップ301：該セルの基地局がネットワーク側制御器に要求メッセージを送信し、該要求メッセージは、該セルが１つのセルクラスタに加入し、或いは、現在の所在するセルクラスタから離れ、或いは、１つのセルクラスタからもう１つのセルクラスタに変わるように要求することを指示する。
【００５１】
本実施例では、セルクラスタに対しての加入又は離れ、或いは、もう１つのセルクラスタへの変更を要求することで、セルクラスタは動的に変化することができる。また、該制御器はマクロ基地局であっても良いが、該マクロ基地局に限定されず、コアネット或いはネットワーク側の物理的実体であっても良い。
【００５２】
本実施例では、１つのセルクラスタからもう１つのセルクラスタに変わる時に、１つのセルを離れること、及び、もう１つのセルに加入することを同時に要する。
【００５３】
ステップ302：ネットワーク側制御器は、該セルの基地局が送信した要求メッセージを受信し；
ステップ303：該ネットワーク側制御器が該要求メッセージに基づいて、該セルがセルクラスタに加入するか、或いは、１つのセルクラスタを離れるか、或いは、１つのセルクラスタからもう１つのセルクラスタに変わるかを確定する。
【００５４】
本実施例では、該制御器は、実際の状況に応じて、該セルが加入するか、離れるか、或いは、他のセルクラスタに変わるかを確定し、そして、確定結果に基づいて構成を行うことができる。
【００５５】
ステップ304：該ネットワーク側制御器が該セルの基地局に指示情報を送信し、該指示情報により、セルが１つのセルクラスタに加入し、或いは、１つのセルクラスタを離れ、或いは、１つのセルクラスタからもう１つのセルクラスタに変わることを指示する。
【００５６】
ステップ305：該セルの基地局がネットワーク側制御器の通知した指示情報に基づいて、該セルを１つのセルクラスタに加入させ、或いは、１つのセルクラスタから離れさせ、或いは、１つのセルクラスタからもう１つのセルクラスタに変更させる。
【００５７】
ステップ306：該ネットワーク側制御器が該セルの所在するセルクラスタ中の他のセルに、該セルが該セルクラスタに加入し、それを離れ、或いは、他のセルクラスタに移動することを通知する。
【００５８】
そのうち、セルの加入、離れ又はセルクラスタへの移動により、セルクラスタは変化するようになり、そして、該セルの基地局は更に、該セルの所在するセルクラスタ中の他のセルに、該セルの加入、離れ又はセルクラスタへの移動を通知することができる。また、セルクラスタへの変更とは、該セルが１つのセルクラスタを離れると同時にもう１つのセルクラスタに加入することであり、具体的には、実施例2と同様であるため、ここでは詳しい説明を省略する。
【００５９】
本実施例では、ステップ301〜302は選択可能なステップであり、また、ステップ303も選択可能なステップであり、即ち、該制御器は、確認する必要がなく、要求メッセージに基づいて直接構成を行っても良く、また、ステップ306も選択可能なステップである。以下、セルクラスタを離れることを例として説明する。
【００６０】
図3Bは本発明の実施例3によるセルクラスタ変更方法のフローチャートである。図3Bに示すように、該方法は次のステップを含み、即ち、
ステップ301’：該セルの基地局がネットワーク側制御器に要求メッセージを送信し、該要求メッセージは、該セルが現在の所在するセルクラスタから離れるように要求することを示す。
【００６１】
ステップ302’：ネットワーク側制御器は、該セルの基地局が送信した要求メッセージを受信する。
【００６２】
ステップ303’：該セルの基地局は、該セルが該セルの所在するセルクラスタから離れるようにさせる。
【００６３】
ステップ304’：該ネットワーク側制御器が該セルの所在するセルクラスタ中の他のセルに、該セルが該セルの所在するセルクラスタから離れることを通知する。
【００６４】
本実施例では、該ネットワーク側制御器が構成を行わなくても良く、即ち、該セルの基地局が自発的にその所在するセルクラスタから離れることもできる。ステップ304’は、選択可能なステップである。
【００６５】
以上、セルクラスタから離れることを例として説明したが、セルクラスタに加入し及びセルクラスタへ変更する場合も、上述と同様であるため、ここでは詳しい説明を省略する。
【００６６】
以上、図面をもとに、ネットワーク側で制御器が設置されることを例としてセルクラスタ変更方法について説明した。以下、図面に基づいて制御器を設置しない場合について説明する。
【実施例４】
【００６７】
図4は本発明の実施例4によるセルクラスタ変更方法のフローチャートである。図4に示すように、該方法は次のステップを含み、即ち、
ステップ401：セルの基地局がターゲットセルにメッセージを送信し、該メッセージは、該セルが該ターゲットセルの所在するセルクラスタに加入し、及び／又は、それから離れるように要求することを指示する。
【００６８】
本実施例では、該セルがセルクラスタに加入する場合、該ターゲットセルとは、該セルが加入するつもりのセルクラスタ中の１つのセル、一部、又は全部を指し；該セルがセルクラスタを離れる場合、該ターゲットセルとは、該セルが離れるつもりのセルクラスタ中の他の１つ、一部、又は全部を指し；該セルが１つのセルクラスタからもう１つのセルクラスタに変更する時に、該ターゲットセルは、上述の２種類の場合の組み合わせであるため、ここでは詳しい説明を省略する。
【００６９】
本実施例では、該ターゲットセルは、該セルが加入するつもりのセルクラスタ中の１つのセル、或いは、該セルが離れるつもりのセルクラスタ中の他の１つのセルである時に、該１つのセルは、地理位置上で該セルに比較的近い又は最も近い１つのセルであっても良いが、これに限定されず、距離が比較的遠いセルであっても良い。
【００７０】
例えば、セルAがセルクラスタに加入するつもりの時に、セルAの基地局は、その加入するつもりのセルクラスタ内の任意の１つ（例えば、セルB）又は１つ以上のターゲットセル（例えば、セルB、C、Dなど）に要求メッセージを送信して、該ターゲットセルの所在するセルクラスタに加入するように要求しても良い。
【００７１】
例えば、該セルAが１つのセルクラスタから離れるように要求する時に、該セルAの基地局は、該セルAと同一のセルクラスタにある任意の１つ又は１つ以上のターゲットセルにメッセージを送信して、セルAがしばらくその所在するセルクラスタから離れることを通知しても良い。
【００７２】
例えば、セルAが該セルAの所在するセルクラスタから、もう１つのセルクラスタに移動する場合について、それは、上述セルAがセルクラスタに加入し及びセルクラスタから離れる２種類の場合の組み合わせであるため、ここでは詳しい説明を省略する。
【００７３】
ステップ402：該セルの基地局がターゲットセルの送信した許可確認メッセージを受信した時に、該セルを該ターゲットセルの所在するセルクラスタに加入させ、及び／又は、該セルの所在するセルクラスタから離れさせる。
【００７４】
ステップ401では、セルAの基地局がターゲットセルの所在するセルクラスタに加入し、及び／又は、それから離れるように要求する時に、該ターゲットセルの基地局は、該セルAが該ターゲットセルの所在するセルクラスタに加入し及び／又はそれを離れることができるかどうかを確定することができ、該セルAが加入し及び／又は離れることができると確定した時に、該セルAの基地局に許可確認メッセージを送信しても良く；セルAの基地局がターゲットセル、例えば、セルBからの許可確認メッセージを受信した時にのみ、セルAは、該ターゲットセルBの所在するセルクラスタに加入し及び／又はそれから離れることができる。
【００７５】
また、セルAの基地局は、ターゲットセルの所在するセルクラスタに加入し及び／又はそれを離れるように要求するためのメッセージを送信した後に、該ターゲットセルの基地局は、確認を行わなくても良く、即ち、該セルAは、該ターゲットセルからの許可確認メッセージを受信せず、その所在するセルクラスタに直接加入し及び／又はそれを離れても良い。
【００７６】
なお、セルAの基地局がセルの変更を要求するためのメッセージを送信する情況は、上述の２種類の場合の組み合わせであるため、ここでは詳しい説明を省略する。
【００７７】
本実施例では、該方法は更に次のステップを含んでも良く、即ち、
ステップ403：該セルの基地局が、隣接セル、及び／又は、該セルが加入し及び／又は離れるセルクラスタ中の他のセルに、該セルの所在するセルクラスタの変化が生じることを示すためのメッセージを送信する。
【００７８】
本実施例では、該セルの所在するセルクラスタが実施例2と同様であり、既に離れた又は離れるつもりのセルクラスタ、及び／又は、該セルが加入するセルクラスタを含み、また、本実施例では、該隣接セルは、地理上でそれと接続されるセルであっても良く、且つ、該隣接セルの所在するセルクラスタは、該セルの加入、離れ、或いは変更に関するセルクラスタではなくても良い。
【実施例５】
【００７９】
本発明の実施例5は更にセルクラスタ変更方法を提供し、該方法は次のステップを含み、即ち、
ターゲットセルがセルの基地局の送信したメッセージを受信し、該メッセージは、該セルが該ターゲットセルの所在するセルクラスタに加入し及び／又はそれから離れるように要求することを指示し、そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含む。
【００８０】
本実施例では、該ターゲットセルは更に、該メッセージを受信した後に、更に、該セルが該ターゲットセルの所在するセルクラスタに加入し及び／又はそれを離れることを許可するかどうかを確定し、その後、該セルの基地局にレスポンスとして許可確認メッセージを返すことができる。ただし、該ステップは選択可能なステップである。
【００８１】
本実施例では、該セルが該ターゲットセルの所在するセルクラスタ加入し及び／又はそれを離れた後に、該ターゲットセルは、該セルの隣接セル、及び／又は、該セルが加入し及び／又は離れるセルクラスタ中の他のセルに、該セルの所在するセルクラスタの変化が生じることを示すためのメッセージを送信することができる。なお、該ステップは選択可能なステップである。
【実施例６】
【００８２】
図5は本発明の実施例6によるセルクラスタ変更方法のフローチャートである。図5に示すように、該方法は次のステップを含み、即ち、
ステップ501：セルの隣接セル、或いは、該セルが加入し及び／又は離れるセルクラスタ中の他のセルが、該セルの基地局又はターゲットセルの基地局の送信した、該セルの所在するセルクラスタの変化が生じることを示すメッセージを受信する。
【００８３】
そのうち、該セルの所在するセルクラスタは、既に離れた又は離れるつもりのセルクラスタ、及び／又は、該セルが加入するセルクラスタを含み、これは上述の実施例と同様であるため、ここでは詳しい説明を省略する。
【００８４】
ステップ502：該隣接セル又は該他のセルが、隣接セル、或いは、該他のセルの所在するセルクラスタの他のセルに、該セルが該セルクラスタから離れ及び／又はそれに加入すること、及び／又は、該セルのセルクラスタの変化の状況を通知する。
【００８５】
本実施例では、ステップ502は選択可能なステップである。
【００８６】
上述の実施例4及び実施例5、6の制御器無しの場合、任意の２つのセル間のメッセージの交互は、X2又はXnインターフェースにより実現することができるが、これに限定されず、他の既存のインターフェース或いは新しく定義されるインターフェースを採用しても良い。
【実施例７】
【００８７】
図6は本発明の実施例7によるセルクラスタ変更方法のフローチャートである。図6に示すように、該方法は次のステップを含み、即ち、
ステップ601：セルの基地局がターゲットセルに要求メッセージを送信し、該メッセージは、該ターゲットセルの所在するセルクラスタに加入するように要求するためのものである。
【００８８】
そのうち、該ターゲットセルは、該セルが加入するつもりのセルクラスタ内の１つのセルであり、例えば、該ターゲットセルは、地理位置上で該セルに最も近い又は比較的近い１つのセルであっても良く、例えば、該セルはセルAであり、ターゲットセルはセルBである。
【００８９】
また、該ターゲットセルは、該セルが加入するつもりのセルクラスタ内の１つ以上又は全てのセルであっても良い。
【００９０】
ステップ602：該ターゲットセル（例えば、基地局）が該要求メッセージを受信し、該セルをメンバーとしてのセルとして受けるかどうかを判断し；
ステップ603：該ターゲットセルが該セルの基地局に許可確認メッセージを返す。
【００９１】
本実施例では、該ターゲットセル（セルB）の基地局は、該ターゲットセルの所在するセルクラスタが該セル（セルA）をメンバーとして受けることができると確定した時に、該セルの基地局に許可確認メッセージを送信する。
【００９２】
ステップ604：該セルの基地局が該確認メッセージを受信した時に、該セルが該ターゲットセルの所在するセルクラスタに加入するようにさせられる。
【００９３】
また、該方法は更に次のステップを含み、即ち、
ステップ605：該セルの基地局が、隣接セル、及び／又は、該セルが加入するセルクラスタ中の他のセルに、該セルの所在するセルクラスタに変化が生じることを示すメッセージを送信する。
【００９４】
本実施例では、該隣接セルの数は１つ又は１つ以上であっても良く；該セルが加入するセルクラスタ中の他のセルの数は１つ又は１つ以上であっても良く；また、該ステップ605は選択可能なステップである。
【００９５】
また、該方法は更にステップ605’を含んでも良く、即ち、該ターゲットセルが、隣接セル、及び／又は、該セルが加入するセルクラスタ中の他のセルに、該セルの所在するセルクラスタに変化が生じることを示すメッセージを送信する。なお、該ステップ605’は、選択可能なステップである。
【００９６】
本実施例では、ステップ602において、該セルAをメンバーとして受けることができないと確定した場合、該ターゲットセルの基地局は、該セルAの基地局に、拒否メッセージを送信しても良く、これにより、セルAがセルBの所在するセルクラスタに加入することを拒否する（例えば、図6中のステップ603’）。該ステップ603’は選択可能なステップである。この場合は、ステップ603〜605、605’を行う必要がない。
【００９７】
本実施例では、ステップ602及びステップ603も選択可能なステップであり、即ち、ターゲットセルの確認が要らず、該セルの基地局が要求メッセージを送信した後に、該セルを該ターゲットセルの所在するセルクラスタに加入させても良い。
【実施例８】
【００９８】
図7Aは本発明の実施例8によるセルクラスタ変更方法のフローチャートである。図7Aに示すように、該方法は、
ステップ701：セルの基地局がターゲットセルに要求メッセージを送信し、該メッセージは、該セルが該ターゲットセルの所在するセルクラスタから離れるように要求するためのものである。
【００９９】
そのうち、該ターゲットセルは、該セルが離れるつもりのセルクラスタ内の１つ又は１つ以上のセルであり、これは実施例4と同様であるため、ここでは詳しい説明を省略する。
【０１００】
例えば、該ターゲットセルはセルBである。
【０１０１】
ステップ702：該ターゲットセル（例えば、基地局）が該要求メッセージを受信し、該セルがその所在するセルクラスタから離れることを受けるかどうかを判断する。
【０１０２】
ステップ703：該ターゲットセルが該セルの基地局に許可確認メッセージを返す。
【０１０３】
本実施例では、該ターゲットセル（セルB）の基地局が、該ターゲットセルがその所在するセルクラスタから離れることができると判断した時に、該セルの基地局に許可確認メッセージを送信する。
【０１０４】
ステップ704：該セルの基地局が該許可確認メッセージを受信した時に、該セルが該セルの所在するセルクラスタから離れるようにさせられる。
【０１０５】
また、該方法は更に次のステップを含み、即ち、
ステップ705：該セルの基地局が、隣接セル、及び／又は、該セルが離れるセルクラスタ中の他のセルに、該セルの所在するセルクラスタに変化が生じることを示すメッセージを送信する。
【０１０６】
本実施例では、該セルの所在するセルクラスタは上述の実施例と同様であるため、ここでは詳しい説明を省略する。
【０１０７】
該隣接セルの数は１つ１つ以上であっても良く；該セルが加入するセルクラスタ中の他のセルの数は１つ又は１つ以上であっても良く；また、該ステップ705は選択可能なステップである。
【０１０８】
また、ステップ705’を含んでも良く、即ち、該ターゲットセルの基地局が、隣接セル、及び／又は、該セルが離れるセルクラスタ中の他のセルに、該セルの所在するセルクラスタに変化が生じることを示すメッセージを送信する。なお、該ステップは選択可能なステップである。
【０１０９】
本実施例では、ステップ702における判断結果が「いいえ」である場合、該ターゲットセルの基地局は、該セルAの基地局に拒否メッセージを送信しても良く、これにより、セルAがその所在するセルクラスタから離れることを拒否する（例えば、図7中のステップ703’）。なお、該ステップ703’は選択可能なステップである。
【０１１０】
また、図7Aに示す実施例では、ステップ702及びステップ703も選択可能なステップである。以下、図7Bをもとにこのような場合について説明する。
【０１１１】
図7Bは本発明の実施例8によるセルクラスタ変更方法のフローチャートである。図7Bに示すように、該方法は次のステップを含み、即ち、
ステップ701’：セルの基地局がターゲットセルにメッセージを送信し、該メッセージは、該セルが該セルの所在するセルクラスタを離れるつもりということを通知するためのものである。
【０１１２】
本実施例では、該ターゲットセルは上述と同様であるため、ここでは詳しい説明を省略する。
【０１１３】
ステップ704’：該セルの基地局が、該セルをセルの所在するセルクラスタから離れさせる。
【０１１４】
ステップ704’の後に、ステップ706’を更に含んでも良く、即ち、
該セルの基地局が、隣接セル、及び／又は、該セルと同じセルクラスタにある他のセルに、該セルの所在するセルクラスタに変化が生じることを示すメッセージを送信する。
【０１１５】
該セルが１つのセルクラスタを離れる場合、該セルと同じセルクラスタにある他のセルとは、該セルが既に離れた又は離れるつもりのセルクラスタを指す。なお、該ステップ706’は、選択可能なステップである。
【０１１６】
また、ステップ706’’を含んでも良く、即ち、該ターゲットセルの基地局が、隣接セル、及び／又は、該セルが離れるセルクラスタ中の他のセルに、該セルの所在するセルクラスタに変化が生じることを示すメッセージを送信する。なお、該ステップは選択可能なステップである。
【０１１７】
実施例7及び8では、ステップ605、605’の後に、或いは、ステップ705又は705’、706’又は706’’の後に、該隣接セル及び／又は他のセルは更に、該隣接セル或いは該他のセルの所在するセルクラスタの他のセルに、該セルが該セルクラスタから離れ及び／又はそれに加入すること（図示せず）、及び／又は、該セルのセルクラスタの変化の状況を通知することもできる。
【実施例９】
【０１１８】
本発明の実施例9は更にセルクラスタ変更方法を提供し、即ち、１つのセルがその所在するセルクラスタからもう１つのセルクラスタに変更する方法を提供し、このような場合は、セルがセルクラスタに加入すること及びその所在するセルクラスタを離れることの組み合わせに相当するため、ここでは詳しい説明を省略する。
【０１１９】
上述の実施例1〜9では、上述の方法により、セルクラスタを動的に変化させことができ、これにより、セルクラスタが動的に変化することで、より多くの場合、セルクラスタ内の強化メカニズムによって利益を得ることができ、例えば、セル間干渉の協調及び抑制をより良く行うことで、ユーザ及び／又はネットワークスループットの増加を実現することができる。
【実施例１０】
【０１２０】
図8は本発明の実施例10によるセルクラスタ変更方法である。そのうち、該セル側では、図8に示すように、該方法は次のステップを含み、即ち、
ステップ801：セルクラスタを変更し；
そのうち、上述の実施例に記載の方法を採用してセルクラスタを変更することができる。
【０１２１】
本実施例と上述の実施例との異なるところは、該セルの基地局がシステム情報を送信し得ることにあり、該システムメッセージは、該セルが所在するセルクラスタのセルクラスタIDを含む。
【０１２２】
また、該セルが所在するセルクラスタが変化した後に、該方法は更に次のステップを含み、即ち、
ステップ802：該セルのセルクラスタIDを更新する。
【０１２３】
本実施例では、該セルのセルIDが、該セルの所在するセルクラスタと関係がない時に、即ち、該セルのセルクラスタに対しての加入、離れ或いは変更を行った後に、セルIDが変化しない場合、該セルの基地局は、該システムメッセージに含まれているセルクラスタIDを変更すれば良い。
【０１２４】
本実施例では、該セルのセルIDが、該セルの所在するセルクラスタと関係がある時に、即ち、セルクラスタに対しての加入、離れ又は変更を行った後に、セルIDも変化する場合、例えば、セルIDは、セルクラスタ及びセルにより共同決定される。セルの一次IDは、セルクラスタIDであり、セルの二次は、セルクラスタ内の仮想IDである。
【０１２５】
該セルのセルIDが、該セルの所在するセルクラスタと関係がある場合、該セルIDが、該セルの基地局及びユーザ装置の送信した物理信号と関係がなければ、セルクラスタ変更後に、該セルの基地局は、システム情報に含まれているセルクラスタIDを変更する。
【０１２６】
本実施例では、該セルのセルIDが、該セルの所在するセルクラスタと関係がある場合、該セルIDが、該セルの基地局及びユーザ装置の送信した物理信号と関係があれば、例えば、下りリンクコモン信号のシーケンス及び位置、及び／又は、上りリンク／下りリンクユーザの専用パイロット信号のシーケンスが、セルIDと関連するランダムシーケンスによりスクランブリングされていれば、該セルの基地局は対応する操作を行うことができ、なお、該操作は以下の実施例で紹介される。
【実施例１１】
【０１２７】
本発明の実施例11は更にセルクラスタ変更方法を提供する。実施例10との異なるところは、該セルのセルIDが、該セルの所在するセルクラスタと関係がある場合、該セルIDが、該セルの基地局及びユーザ装置の送信した物理信号と関係があれば、該セルの基地局が更に次のような操作を行うことにある。
【０１２８】
該セルの基地局がユーザ装置に指示メッセージを送信し、該指示メッセージは、該セルID、及び／又は、関連する上りリンク及び／又は下りリンクの送信信号の変更を示すために用いられ、該指示メッセージは、変更されるセルID、及び／又は、該セルID及び／又は関連する上りリンク及び／又は下りリンクの送信信号を変更する時間を含む。
【０１２９】
本実施例では、セル基地局は、物理層シグナリング（例えば、物理制御チャネルの下り制御情報（DCI、downlink  control  information））、或いは、媒体アクセス制御（MAC）層シグナリング、或いは、無線リソース制御（RRC）層シグナリングにより、ユーザセルIDの変更、或いは、関連する上り下り送信信号の変更を通知することができる。
【０１３０】
該メッセージにはセルの新IDを携帯することができる。
【０１３１】
本実施例では、基地局側及びユーザ側は、予め、該ユーザ装置が該メッセージを受信した後のどのぐらいで、セルがセルIDの更新、及び、対応する変更（例えば、上り下り送信信号の変更）を行うかを約束することができ、例えば、該メッセージを受信した後の次の１つのフレームの第１個目のサブフレームで行うように事前に約束することができる。このような場合、該メッセージには変更の時間を含める必要がない。
【０１３２】
また、該メッセージは、セルがセルIDの変更、及び／又は、対応する変更を行う時点、例えば、若干個のサブフレーム遅延した後の時点を具体的に搬送しても良い。
【０１３３】
＜ユーザ装置側＞
セルの所在するセルクラスタに変化が生じる時に、ユーザ装置は、該セルの基地局が送信した指示情報を受信し、該指示メッセージは、セルID、及び／又は、関連する上りリンク及び／又は下りリンクの送信信号の変更を示すために用いられ；該指示メッセージは、変更されるセルID、及び／又は、該セルID及び／又は関連する上りリンク及び／又は下りリンクの送信信号を変更する時間を含み、
このように、該ユーザ装置は、セルIDの変更を指示するメッセージを受信した後に、指定された時点で、受信した新セルIDを用いてセルシステム情報を識別し、或いは、セルコモン信号、下り制御チャネルを受信し、及び／又は、自分の上りリンク信号中のセルIDに関するスクランブリングシーケンス及び参照信号シーケンスなどを変更することができる。
【実施例１２】
【０１３４】
本発明の実施例12は更にセルクラスタ変更方法を提供する。実施例10との異なるところは、該セルのセルIDが、該セルの所在するセルクラスタと関係がある場合、該セルIDが該セルの基地局及びユーザ装置の送信した物理信号と関係があれば、該セルの基地局が更に次のような操作を行うことにある。
【０１３５】
セルの基地局は、所属するセルのユーザ装置を他のセルにハンドオーバーし、その後、セルIDを変更し、或いは、セルID及び対応するシステム情報及び／又はコモン信号を変更する。
【０１３６】
例えば、セルの基地局（セルAと略称する）は、そのサービングする全てのユーザ装置を他のセル（セルBと略称する）にハンドオーバーし、その後、セルID、対応するシステム情報、下りコモン信号を変更する（セルID変更後のセルAをセルA1と略称する）。
【０１３７】
このように、セルBにハンドオーバーした後に、サービスが引き続き提供され得るユーザを元のところにハンドオーバーすることができ、即ち、セルID変更後のセルA1にハンドオーバーすることができる。そのうち、上述の‘サービスが引き続き提供され得るユーザ’について、セルBにより、ユーザ装置がセル探索及び測定（そのうち、セルID更新後のセルAを含む）を行うように構成し、そして、測定報告に基づいて、該ユーザ装置をセルA1にハンドオーバーするか、或いは、セルBにより引き続きサービングされるか、或いは、より適切な第三セルにハンドオーバーするかを判断する。該プロセスは従来技術と同様であるため、ここでは詳しい説明を省略する。
【０１３８】
＜ハンドオーバー後のセルB側＞
セル探索の過程では、セルBは、ユーザ装置のために、セルID変更後のセルA1に関する補助情報を提供することができ、該補助情報は、該ユーザ装置が、セルID未変更のセルを使用し得るタイミングを指示し、及び／又は、該ユーザ装置が、ランダムアクセスプロセス中で、元のセルの無線ネットワーク一時ID（C-RNTI、Cell  Radio  Network  Temporary  Identifier）を用いて、セルID変更後のセルA1にハンドオーバーし得ることを指示するために用いられ；或いは、該補助情報は、該ユーザ装置がセルID未変更のセルを使用し得るタイミングを指示し、該ユーザ装置がランダムアクセスプロセス中で、元のC-RNTIを用いてセルID変更後のセルにハンドオーバーし得ること、及び、該ユーザ装置がランダムアクセスを行わず、該セルIDが変更されているセルに直接アクセスすることを指示するために用いられる。
【０１３９】
例1：該セルBが、該補助情報により、該ユーザ装置に、セルA1の下りリンクタイミング（Downlink  Timing）がセルAと同じであることを通知する。
【０１４０】
例2：ユーザ装置をセルA1にハンドオーバーによる返すと確定すれば、幾つかの場合（例えば、セルBは、あるユーザ装置が、セルAを離れた時から、セルA1へのハンドオーバーの準備ができた時までの間に、上りリンクタイミングが異なることを引き起こし得る物理的移動が発生してないことを確認することができる）、セルBは、ユーザ装置のために、セルA1に関する補助情報を提供することができ、例えば、ユーザ装置に、セルA1の上りリンクTAがセルAの上りリンクTAと同じあることを通知する。
【０１４１】
例3：ユーザ装置をセルA1にハンドオーバーにより返すと確定すれば、セルBは更に、ユーザ装置のために、セルA1に関する補助情報を提供することができ、例えば、ユーザ装置に、ランダムアクセスプロセス中で、該ユーザ装置が再び元のC-RNTIを用いてアクセスを行えることを通知する。
【０１４２】
例4：例1〜3をもとに、該補助情報は更に、ユーザ装置に、ランダムアクセスを行わずA1を直接アクセスセルし得ることを通知することもできる。
【０１４３】
＜ユーザ装置側＞
セルの所在するセルクラスタに変化が発生する時に、該セルから他のセルにハンドオーバーするユーザ装置は、該他のセルの基地局が該ユーザ装置に送信した補助情報を受信し、該補助情報は、該ユーザ装置がセルID未変更のセルを使用し得るタイミングを指示し、及び／又は、該ユーザ装置が、ランダムアクセスプロセス中で、元のC-RNTIを用いて、セルID変更済みのセルにハンドオーバーし得ることを指示するために用いられ；或いは、該補助情報は、該ユーザ装置がセルID未変更のセルを使用し得るタイミングを指示し、及び、該ユーザ装置がランダムアクセスプロセス中で元のC-RNTIを用いてセルID変更後のセルにハンドオーバーし得ること、及び、該ユーザ装置がランダムアクセスを行わずセルIDが変更されているセルに直接アクセスすることを指示するために用いられる。
【実施例１３】
【０１４４】
図9は本発明の実施例13によるセルクラスタ変更方法のフローチャートである。実施例10との異なるところは、該セルのセルIDが、該セルの所在するセルクラスタに関係する場合、該セルIDが、該セルの基地局及びユーザ装置の送信した物理信号に関係すれば、該セルの基地局が更に次のような操作を行うことにある。
【０１４５】
ステップ903：セルの基地局が、セルの一部のサブフレーム上でユーザ装置をスケジューリングすることを停止し；
そのうち、ステップ903により生成された、いずれのユーザもスケジューリングしていないサブフレーム、即ち、上述の一部のサブフレームを空（blank）サブフレームと称する。
【０１４６】
ステップ904：上述の空サブフレーム上で、変更されたセルIDに対応するシステム情報及び／又はコモン信号を送信し；
そのうち、該セルの基地局は、空サブフレーム上で、新セルIDに対応するシステム情報及びコモン信号を送信することができる（ここでは、旧セルIDを採用するセルをセルAと略称し、新セルIDを採用するセル（即ち、セルID変更済みのセル）をセルA1と略称する）。
【０１４７】
ステップ905：該ユーザ装置がセルID変更済みのセルを捜索し、また、サブフレームのパターンを用いて該セルID変更済みのセルを測定するように構成し；
該セルID変更済みのセルの基地局（即ち、セルAの基地局）は上述の構成を行う。
【０１４８】
そのうち、サブフレームのパターンを用いて測定を行うこととは、一部のみのサブフレーム上で測定待ちキャリアに対して測定を行うことを指す。
【０１４９】
本実施例では、測定ステップがある時に、ステップ906を含んでも良く、即ち、測定結果に基づいて、あるユーザ装置をセルID変更後のセルにハンドオーバーするか、或いは、あるユーザ装置をより適切なセルにハンドオーバーするかを判断する。
【０１５０】
測定ステップがない時に、ステップ906’を含んでも良く、即ち、該セルの基地局が、そのサービングする全てのユーザ装置をセルID変更済みのセル（即ち、A1）にハンドオーバーする。
【０１５１】
上述のステップ905及び906/906’は選択可能なステップである。
【０１５２】
ステップ907：該セルID変更済みのセルの基地局（セルAの基地局）が、変更されたセルIDと一致するシステム情報及び／又は信号を送信するサブフレーム上でユーザ装置をスケジューリングする。
【０１５３】
ステップ908：該セルの基地局が、変更されていないセルIDに対応するシステム情報及び／又はコモン信号を送信するサブフレームを変更する。
【０１５４】
このように、全てのサブフレームが、変更されたセルIDと一致するシステム情報及び／又は信号を送信するようにさせることができる。
【０１５５】
サブフレームの変更を完成した後に、該セルA1の基地局（セルAの基地局）は、全てのサブフレーム上で該ユーザ装置をスケジューリングする。
【実施例１４】
【０１５６】
図10は本発明の実施例14による基地局の構成図である。ネットワーク側で制御器を設置する時に、該基地局はセルの基地局に対応し、該ネットワーク側制御器の指示に基づいて、該セルのセルクラスタに対しての加入、離れ、又は変更を行う。
【０１５７】
図10に示すように、基地局1000は処理ユニット1001を含み、処理ユニット1001は、受信された、ネットワーク側制御器が送信した指示情報に基づいて、セルを１つのセルクラスタに加入させ、或いは、セルを該セルの所在するセルクラスタから離れさせ、或いは、セルを該セルの所在するセルクラスタからもう１つのセルクラスタに変更させるために用いられる。
【０１５８】
本実施例では、該セルはスモールセル（Small  cell）であっても良いが、該スモールセルに限定されない。以下、セルがスモールセルである場合を例として説明する。
【０１５９】
本実施例では、基地局1000は更に情報送信ユニット1002を含んでも良く、情報送信ユニット1202は、ネットワーク側制御器に要求メッセージを送信するために用いられ、該要求メッセージは、該セルが１つのセルクラスタに加入し、或いは、該セルが該セルの所在するセルクラスタから離れ、或いは、該セルが前記セルの所在するセルクラスタからもう１つのセルクラスタに変更するように要求することを示すために用いられる。
【０１６０】
このように、基地局1000は該要求メッセージを送信した後に、処理ユニット1001は、該ネットワーク側制御器が該要求メッセージに基づいて送信した指示情報に基づいて、該セルを１つのセルクラスタに加入させ、或いは、該セルの所在するセルクラスタから離れさせ、或いは、前記セルの所在するセルクラスタからもう１つのセルクラスタに変更させることができる。
【０１６１】
本実施例では、情報送信ユニット1002は選択可能な部品であり、処理ユニット1001及び情報送信ユニット1002の実施方法は実施例1と同様であるため、ここでは詳しい説明を省略する。本実施例では、該ネットワーク側制御器は実施例1と同様であるため、ここでは詳しい説明を省略する。また、該制御器とセルとの間のインターフェースも実施例1と同様であるため、ここでは詳しい説明を省略する。
【０１６２】
本実施例から分かるように、該基地局は、制御器が送信した指示情報に基づいて、１つのセルを１つのセルクラスタに加入させ、或いは、１つのセルクラスタから離れさせ、或いは、１つのセルクラスタからもう１つのセルクラスタに変更させることができるため、セルクラスタは動的に変化することができる。よって、セルクラスタ内の強化メカニズムにより利益を得ることができ。
【０１６３】
本実施例では、基地局1000は上述の部品の他に、従来技術に類似した部品を更に含んでも良い。以下、図11をもとに説明する。
【０１６４】
図11は本発明の実施例14による基地局の構成図である。図10に示す基地局をもとに、図10に示す上述の機能モジュール以外に、基地局1100は更に、他の周知の部品、例えば、主制御回路1101、記憶器1102、送受信機1104及びアンテナ1105を含んでも良い。そのうち、該記憶器1102は、実施例13のセルクラスタの変更を実行するプログラムを記憶しても良い。また、主制御器1101の制御の下で該プログラムを実行することもでき、該プログラムの実行過程は実施例1と同様であるため、ここでは詳しい説明を省略する。他の部品の機能は従来技術と同様であるため、ここでは詳しい説明を省略する。また、図10に示す部品を主制御回路1101に集積することもできる。
【実施例１５】
【０１６５】
図12は本発明の実施例15による制御器の構成図である。図12に示すように、制御器1200は、次の部品を含み、即ち、
情報送信ユニット1201：情報送信ユニット1201は、セルの基地局に指示情報を送信するために用いられ、該指示情報は、セルが１つのセルクラスタに加入し、或いは、該セルの所在するセルクラスタから離れ、或いは、該セルの所在するセルクラスタからもう１つのセルクラスタに変更することを指示するために用いられる。
【０１６６】
本実施例では、制御器1200は、該セルが１つのセルクラスタに加入するか、或いは、その所在するセルクラスタから離れるか、或いは、１つのセルクラスタからもう１つのセルクラスタに変わるかを確定し、その後、確定結果に基づいて該セルの基地局に該指示情報を送信することができる。このように、制御器1200は更に確定ユニット（図示せず）を含んでも良く、それは、該セルが１つのセルクラスタに加入するか、及び／又は、その所在するセルクラスタから離れるかなどを確定するために用いられる。該部品は選択可能な部品である。
【０１６７】
本実施例から分かるように、制御器1200はセルの基地局に指示情報を送信することができ、このように、該セルの基地局は該指示情報を得た後に、１つのセルを１つのセルクラスタに加入させ、或いは、１つのセルクラスタから離れさせ、或いは、１つのセルクラスタからもう１つのセルクラスタに変更させることができるため、セルクラスタは動的に変化することができる。よって、セルクラスタ内の強化メカニズムにより利益を得ることができ。
【０１６８】
本実施例では、情報送信ユニット1201は更に、セル側の要求に基づいて該指示情報を送信することができ、このように、図12に示すように、制御器1200は更に次の部品を含み、即ち、
情報受信ユニット1202：情報受信ユニット1202は、該セルが送信した要求メッセージを受信するために用いられ、該要求メッセージは、該セルが１つのセルクラスタに加入し、或いは、該セルが前記セルの所在するセルクラスタから離れ、或いは、該セルが該セルの所在するセルクラスタからもう１つのセルクラスタに変更するように要求することを示すために用いられる。
【０１６９】
このように、情報送信ユニット1201は情報受信ユニット1202が受信した要求メッセージに基づいて、対応する構成を行うことができる。
【０１７０】
本実施例では、制御器1200は更に次の部品を含んでも良く、即ち、
情報通知ユニット1203：情報通知ユニット1203は、該セルの所在するセルクラスタ中の他のセルに、該セルが該セルクラスタを離れること、及び／又は、該セルが該セルクラスタに加入することを通知するために用いられ；そのうち、該セルの所在するセルクラスタは、既に離れた又は離れるつもりのセルクラスタ、及び／又は、該セルが加入するセルクラスタを含む。具体的には実施例2と同様であるため、ここでは詳しい説明を省略する。
【０１７１】
本実施例では、制御器1200は具体的にマクロ基地局、コアネット又は他の物理的実体であっても良く、これは実施例1、2と同様であるため、ここでは詳しい説明を省略する。
【０１７２】
本実施例では、該ネットワーク側制御器がマクロ基地局である時に、該制御器及び該セル間の交互はX2インターフェース又はXnインターフェースにより実現することができ；該制御器がコアネットである時に、該制御器及び該セル間の交互はS1インターフェースにより実現することができ；該制御器が１つのセルクラスタ制御のために専用する物理装置である時に、１つの新インターフェースを定義し、該制御器及び該セル間は、該インターフェースを用いてやり取りを行っても良い。
【０１７３】
本実施例では、情報受信ユニット1202及び情報通知ユニット1203は選択可能な部品である。
【０１７４】
本実施例では、情報送信ユニット1201、情報受信ユニット1202及び情報通知ユニット1203の具体的な実施は実施例2と同様であるため、ここでは詳しい説明を省略する。
【実施例１６】
【０１７５】
本発明の実施例16は通信システムを提供し、該システムは実施例14に記載のセルの基地局及び実施例15に記載の制御器を含んでも良い。その具体的な実施過程は実施例3と同様であるため、ここでは詳しい説明を省略する。
【実施例１７】
【０１７６】
図13は本発明の実施例17による基地局の構成図である。ネットワーク側で制御器を設置しない時に、該基地局はセルの基地局に対応し、ターゲットセルへの申請に基づいて、セルのセルクラスタに対して加入、離れ又は変更を行うことができる。
【０１７７】
図13に示すように、基地局1300は第一送信ユニット1301及び第一処理ユニット1302を含む。
【０１７８】
第一送信ユニット1301は、ターゲットセルにメッセージを送信するために用いられ、該メッセージは、セルが該ターゲットセルの所在するセルクラスタに加入し、及び／又は、それを離れるように要求することを指示するために用いられ；
そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含み、具体的には実施例4と同様であるため、ここでは詳しい説明を省略する。
【０１７９】
第一処理ユニット1302は、該メッセージを送信した後に、或いは、該ターゲットセルからの許可確認メッセージを受信した時に、該セルを該ターゲットセルの所在するセルクラスタに加入させ、及び／又は、それを離れさせるために用いられる。
【０１８０】
本実施例では、基地局1300は更に次の部品を含んでも良く、即ち、
第二送信ユニット1303：第二送信ユニット1303は、該セルに隣接する隣接セル、或いは、該セルと同じセルクラスタに位置する他のセルに、該セルの所在するセルクラスタに変化が生じることを示すメッセージを送信するために用いられ；該セルの所在するセルクラスタは、該セルが既に離れた又は離れるつもりのセルクラスタ、及び／又は、該セルが加入するセルクラスタを含む。
【０１８１】
そのうち、第一送信ユニット1301、第一処理ユニット1302、第二送信ユニット1303の実施方式は実施例4と同様であるため、ここでは詳しい説明を省略する。第二送信ユニット1303は選択可能な部品である。
【０１８２】
本実施例から分かるように、基地局1300は、送信したメッセージにより、１つのセルを１つのセルクラスタに加入させ、或いは、１つのセルクラスタから離れさせ、或いは、１つのセルクラスタからもう１つのセルクラスタに変更させることができるため、セルクラスタは動的に変化することができる。よって、セルクラスタ内の強化メカニズムにより利益を得ることができ。
【０１８３】
また、基地局1300は更に他の周知の部品を含んでも良く、これは図11に示す実施例14と同様であるため、ここでは詳しい説明を省略する。
【実施例１８】
【０１８４】
本発明の実施例18は更に基地局を提供する。それは実施例17に記載のターゲットセルの基地局に対応する。
【０１８５】
本実施例では、該基地局は受信ユニットを含み、該受信ユニットは、セルの基地局が送信したメッセージを受信するために用いられ、該メッセージは、該セルがターゲットセルの所在するセルクラスタに加入し、及び／又は、それを離れるように要求することを示すためのものであり；そのうち、該ターゲットセルは、該セルが加入するつもりのセルクラスタ中の１つ又は１つ以上のセル、及び／又は、該セルが離れるつもりのセルクラスタ中の他の１つ又は１つ以上のセルを含む。
【０１８６】
本実施例では、該基地局は更に第一情報送信ユニットを含んでも良く、該第一情報送信ユニットは、該セルの該ターゲットセルに対しての加入及び／又は離れを受けるかを確定し、受けると確定した場合、該セルの基地局に許可確認メッセージを送信するために用いられる。該第一情報送信ユニットは選択可能な部品である。
【０１８７】
本実施例では、該基地局は更に第二情報送信ユニットを含んでも良く、該第二情報送信ユニットは、セルクラスタ変更後に、該セルの隣接セル、或いは、該セルと同じセルクラスタに位置する他のセルに、該セルの所在するセルクラスタに変化が生じることを示すメッセージを送信するために用いられ；該セルの所在するセルクラスタは、既に離れた又は離れるつもりのセルクラスタ、及び／又は、該セルが加入するセルクラスタを含む。該第二情報送信ユニットは選択可能な部品である。
【０１８８】
また、該基地局は更に他の周知の部品を含んでも良く、これは図11に示す実施例14と同様であるため、ここでは詳しい説明を省略する。
【実施例１９】
【０１８９】
図14は本発明の実施例19による基地局の構成図である。該基地局は実施例17のセルの基地局に隣接するセルの基地局、或いは、該セルと同じセルクラスタに位置する他のセルの基地局に対応する。
【０１９０】
図14に示すように、基地局1400は第一受信ユニット1401及び第一通知ユニット1402を含む。
【０１９１】
第一受信ユニット1401は、セルの基地局或いはターゲット基地局の送信した、該セルの所在するセルクラスタの変化を示すメッセージを受信するために用いられ；そのうち、該セルの所在するセルクラスタは、既に離れた又は離れるつもりのセルクラスタ、及び／又は、該セルが加入するセルクラスタを含む。
【０１９２】
第一通知ユニット1402は、所属する基地局のセルに、該セルの該セルクラスタに対しての離れ及び又は加入、及び／又は、該セルのセルクラスタの変化の状況を送信するために用いられる。
【０１９３】
そのうち、第一受信ユニット1401、第一通知ユニット1402の実施方式は実施例6と同様であるため、ここでは詳しい説明を省略する。
【０１９４】
また、基地局1400は更に他の周知の部品を含んでも良く、これは図11に示す実施例14と同様であるため、ここでは詳しい説明を省略する。
【実施例２０】
【０１９５】
本発明の実施例20は更に通信システムを提供し、該通信システムは実施例17に記載の基地局及び実施例18に記載の基地局を含み、その具体的な構成は実施例17及び18を参照することができるため、ここでは詳しい説明を省略する。また、該通信システムは更に、実施例19に記載の基地局を含んでも良く、その具体的な構成は実施例19と同様であるため、ここでは詳しい説明を省略する。
【０１９６】
該システムの具体的な実施は、セルのセルクラスタに対しての加入、離れ又は変更に関し、なお、これについては、実施例4〜9を参照することができるため、ここでは詳しい説明を省略する。
【実施例２１】
【０１９７】
本発明の実施例21は更に基地局の構成を提供する。実施例14、実施例17に記載の基地局をもとに、本実施例では、該基地局は、上述の基地局の各部品以外に、情報更新ユニットを更に含んでも良く、該情報更新ユニットは、該セルのセルクラスタIDを更新するために用いられる。
【０１９８】
具体的な更新方法は実施例10と同様である。例えば、該セルのセルIDが該セルの所在するセルクラスタと関係しない時に、即ち、該セルのセルクラスタに対しての加入、離れ或いは変更を行った後に、セルIDに変化が無い場合、該情報更新ユニットは、該システムメッセージに含まれているセルクラスタIDを変更すれば良い。
【０１９９】
該セルのセルIDが該セルの所在するセルクラスタと関係する時に、即ち、セルクラスタに対しての加入、離れ又は変更が行われた後に、セルIDに変化がある場合、例えば、セルIDは、セルクラスタ及びセルにより共同決定される。セルの一次IDはセルクラスタIDであり、セルの二次IDはセルクラスタ内の仮想IDである。
【０２００】
該セルのセルIDが該セルの所在するセルクラスタに関係する場合、該セルIDが該セルの基地局及びユーザ装置の送信した物理信号に関係しなければ、セルクラスタ変更後に、該セルの基地局は、システム情報中のセルクラスタIDを変更する。
【０２０１】
本実施例では、該セルのセルIDが該セルの所在するセルクラスタに関係する場合、該セルIDが該セルの基地局及びユーザ装置の送信した物理信号に関係すれば、例えば、下りリンクコモン信号のシーケンス及び位置、及び／又は、上りリンク/下りリンクユーザ専用パイロット信号のシーケンスが、セルIDに関係するランダムシーケンスによりスクランブリングされているときになど、該セルの基地局は、対応する操作を行うことができ、これについては、以下の実施例において説明する。
【実施例２２】
【０２０２】
本発明の実施例は更に基地局を提供する。実施例21をもとに、セルのセルIDが該セルの所在するセルクラスタに関係する場合、該セルIDが該セルの基地局及びユーザ装置の送信した物理信号に関係すれば、該装置は更に次の部品を含んでも良く、即ち、
第三送信ユニット及び第四送信ユニット：第三送信ユニットは、ユーザ装置に指示メッセージを送信するために用いられ、該指示メッセージは、該セルID、及び／又は、関連する上りリンク及び／又は下りリンクの送信信号の変更を示すために用いられ、該指示メッセージは、変更後のセルID、及び／又は、該セルID及び／又は関連する上りリンク及び／又は下りリンクの送信信号を変更する時間を含み；また、第四送信ユニットは、該時間に、該セルID、及び／又は、関連する上りリンク及び／又は下りリンクの送信信号を変更するために用いられる。具体的な実施過程は実施例11と同様であるため、ここでは詳しい説明を省略する。
【０２０３】
このような場合、ユーザ装置は、該セルIDの変更を指示するためのメッセージを受信した後、指定された時点に、受信した新セルIDを用いて、システム情報、及び／又は、セルコモン信号、下り制御チャネルを識別し、或いは、自分の上りリンク信号中のセルIDに関係するスクランブリングシーケンス及び参照信号シーケンスなどを変更することができる。具体的には実施例11を参照することができるため、ここでは詳しい説明を省略する。
【実施例２３】
【０２０４】
図15は本発明の実施例23によるユーザ装置の構成図である。ユーザ装置1500は次の部品を含み、即ち、
第二受信ユニット1501：第二受信ユニット1501は、セルの所在するセルクラスタの変化が生じる時に、該セルの基地局が送信した指示情報を受信するために用いられ、該指示メッセージは、セルID、及び／又は、関連する上りリンク及び／又は下りリンクの送信信号の変更を示すためのものであり；該指示メッセージは、変更後のセルID、及び／又は、該セルID及び／又は関連する上りリンク及び／又は下りリンクの送信信号の変更時間を含む。
【０２０５】
第六送信ユニット1502：第六送信ユニット1502は、該指示メッセージが指示した変更時間に、該変更後のセルIDを用いて、該セルの基地局が送信したシステム情報、及び／又はコモン信号、及び／又は下りリンク制御信号を受信し、及び／又は、該ユーザ装置の上りリンク信号中のセルIDに関連するスクランブリングシーケンス又は参照信号シーケンスを変更するために用いられる。
【０２０６】
本実施例では、ユーザ装置1500は、上述の機能を実現する部品以外に、従来技術に類似した部品を含んでも良い。
【０２０７】
図16は本発明の実施例23によるユーザ装置の構成図である。例えば、該ユーザ装置は携帯電話であり、なお、該図は例示に過ぎない。
【０２０８】
図16に示すように、ユーザ装置1600は、上述の第二受信ユニット1501及び第六送信ユニット1502の他に、更に主制御回路1601、送受信機1606、入力ユニット1604、音声処理ユニット1607、記憶器1602、表示器1609、電源1610などを含んでも良い。上述の部品の機能は従来技術と同様であるため、ここでは詳しい説明を省略する。携帯電話1600の各部品は、専用ハードウェア、ファームウェア、ソフトウェア、又は、それらの組み合わせにより実現することができ、これらはすべて本発明の範囲に属する。
【実施例２４】
【０２０９】
本発明の実施例24は更に基地局を提供する。実施例21をもとに、セルのセルIDが該セルの所在するセルクラスタに関係する場合、該セルIDが該セルの基地局及びユーザ装置の送信した物理信号に関連すれば、該装置は更に次のような部品を含んでも良く、即ち、
第一ハンドオーバーユニット及び第一変更ユニット：第一ハンドオーバーユニットは、所属するセルのユーザ装置を他のセルにハンドオーバーするために用いられ；また、第一変更ユニットは、セルIDを変更し、或いは、セルID及び対応するシステム情報及び／又はコモン信号を変更するために用いられる。
【０２１０】
本実施例では、上述のユーザ装置を１つのセル（例えば、セルA）から他のセル（セルB）にハンドオーバーし、ハンドオーバー後のセルAをセルA1とし、このように、該他のセルBは更に、ハンドオーバーされたユーザ装置をセルA1にハンドオーバーにより返し、或いは、セルBに保留し、或いは、より適切な第三セルにハンドオーバーすることができる。具体的な実施は実施例12と同様であるため、ここでは詳しい説明を省略する。
【実施例２５】
【０２１１】
本発明の実施例25は基地局を提供する。実施例24をもとに、実施例24の基地局の第一ハンドオーバーユニットが、所属するセルのユーザ装置を他のセルにハンドオーバーした後に、本実施例の基地局は、該ユーザ装置がセルの捜索及び測定を行うように構成し、また、該ユーザ装置が報告する測定報告に基づいて、該ユーザ装置をセルID変更済みのセルA1にハンドオーバーするか、或いは、該他のセルにより引き続き該ユーザ装置をサービングするか、或いは、該ユーザ装置をより適切な第三セルにハンドオーバーするかを判断することができる。該ハンドオーバー過程は従来技術と同様であるため、ここでは詳しい説明を省略する。
【０２１２】
本実施例では、セル捜索を行う過程では、該基地局は更に情報送信ユニットを含んでも良く、該情報送信ユニットは、該ユーザ装置に補助情報（セルID変更後のセルA1に関する）を提供するために用いられ、該補助情報は、該ユーザ装置がセルID未変更のセルを使用し得るタイミングを指示し、及び／又は、該ユーザ装置がランダムアクセスプロセス中で元のC-RNTIを用いてセルID変更後のセルにハンドオーバーし得ることを指示するために用いられ；或いは、該補助情報は、該ユーザ装置がセルID未変更のセルを使用し得るタイミングを指示し、及び、該ユーザ装置がランダムアクセスプロセス中で元のC-RNTIを用いてセルID変更後のセルにハンドオーバーし得ること、及び、該ユーザ装置がランダムアクセスを行わずセルID変更後のセルに直接アクセスすることを指示するために用いられる。具体的には、実施例12と同様であるから、ここでは詳しい説明を省略する。
【実施例２６】
【０２１３】
本発明の実施例26はユーザ装置を提供する。該ユーザ装置は第三受信ユニットを含み、該第三受信ユニットは、セルの所在するセルクラスタの変化時に、該セルから他のセルにハンドオーバーするユーザ装置が、前記他のセルの基地局が該ユーザ装置に送信した補助情報を受信するために用いられ、該補助情報は、該ユーザ装置がセルID未変更のセルを使用し得るタイミングを指示し、及び／又は、該ユーザ装置がランダムアクセスプロセス中で元のC-RNTIを用いてセルID変更後のセルにハンドオーバーし得ることを指示するために用いられる。
【０２１４】
或いは、前記補助情報は、前記ユーザ装置がセルID未変更のセルを使用し得るタイミングを指示し、及び、前記ユーザ装置がランダムアクセスプロセス中で元のC-RNTIを用いてセルID変更後のセルにハンドオーバーし得ること、及び、前記ユーザ装置がランダムアクセスを行わず、セルID変更後のセルを直接アクセスすることを指示するために用いられる。具体的には、実施例11と同様であるため、ここでは詳しい説明を省略する。
【実施例２７】
【０２１５】
本発明の実施例27は更に基地局を提供する。実施例21をもとに、セルのセルIDが該セルの所在するセルクラスタに関係する場合、該セルIDが該セルの基地局及びユーザ装置の送信した物理信号に関連すれば、該装置は更に次のような部品を含んでも良い。
【０２１６】
該基地局は第一スケジューリングユニットを含んでも良く、該第一スケジューリングユニットは、セルの一部のサブフレーム上でのユーザ装置のスケジューリングを停止するために用いられ、該一部のサブフレームは空サブフレームと称される。
【０２１７】
該基地局は更に第五送信ユニット及び第二変更ユニットを含んでも良く；そのうち、該第五送信ユニットは、該空サブフレーム上で、変更後のセルIDに対応するシステム情報及び／又はコモン信号を送信し；該第二変更ユニットは、未変更のセルIDに対応するシステム情報及び／又はコモン信号を送信するサブフレームを変更し、これにより、全てのサブフレームは、変更後のセルIDに対応するシステム情報及び／又はコモン信号を送信するようになる。
【０２１８】
また、該基地局は更に第二スケジューリングユニット及び第三スケジューリングユニットを含み；そのうち、該第二スケジューリングユニットは、該第五送信ユニットがシステム情報及び／又はコモン信号を送信した後に、変更後のセルIDに対応するシステム情報及びコモン信号を送信するサブフレーム上で、該ユーザ装置をスケジューリングし；該第三スケジューリングユニットは、該第二変更ユニットがサブフレームを変更した後に、全てのサブフレーム上で該ユーザ装置をスケジューリングするために用いられる。
【０２１９】
本実施例では、該基地局は更に第一構成ユニットを含んでも良く；該第一構成ユニットは、ユーザ装置がセルID変更後のセルを捜索し、そして、サブフレームのパターンを用いて該セルID変更後のセルを測定するように構成するために用いられる。
【０２２０】
或いは、該基地局は更に第二ハンドオーバーユニットを含んでも良く、該第二ハンドオーバーユニットは、所属するセルのユーザ装置をセルID変更後のセルにハンドオーバーし、或いは、測定結果に基づいて、ハンドオーバーを行う必要のあるユーザ装置をセルID変更後のセル或いは他のセルにハンドオーバーするために用いられる。
【０２２１】
本実施例では、該基地局は更に情報提供ユニットを含み、該情報提供ユニットは、該ユーザ装置に補助情報を提供するために用いられ、該補助情報は、該ユーザ装置がセルID未変更のセルを使用し得るタイミングを指示し、及び／又は、該ユーザ装置がランダムアクセスプロセス中で元のC-RNTIを用いてセルID変更済みのセルにハンドオーバーし得ることを指示するために用いられ；或いは、該補助情報は、該ユーザ装置がセルID未変更のセルを利用し得るタイミングを指示し、及び、該ユーザ装置がランダムアクセスプロセス中で元のC-RNTIを用いてセルID変更後のセルにハンドオーバーし得ること、及び、該ユーザ装置がランダムアクセスを行わず該セルID変更後のセルに直接アクセスすることを指示するために用いられる。上述の装置の具体的な実施は実施例13と同様であるため、ここでは詳しい説明を省略する。
【実施例２８】
【０２２２】
本発明の実施例28は通信システムを提供する。実施例16又は実施例20のシステムをもとに、該通信システムは更に実施例23及び／又は実施例26に記載のユーザ装置及び／又は実施例25に記載の基地局を含んでも良い。そのうち、該基地局はユーザ装置に補助情報を送信することができ、具体的には、実施例25と同様であるため、ここでは詳しい説明を省略する。
【０２２３】
該ユーザ装置は他のセル基地局（例えばセルBの基地局）が送信した補助情報を受信することができ、或いは、セルの基地局（例えばセルAの基地局）が送信した指示情報を受信することができ、具体的には実施例26又は実施例24と同様であるため、ここでは詳しい説明を省略する。
【０２２４】
本発明の実施例は更にコンピュータ可読プログラムを提供し、そのうち、基地局中で前記プログラムを実行する時に、前記プログラムはコンピュータに、前記基地局中で実施例1、3〜13に記載のセルクラスタ変更方法を実行させる。
【０２２５】
本発明の実施例は更にコンピュータ可読プログラムを記憶した記憶媒体を提供し、そのうち、前記コンピュータ可読プログラムは、コンピュータに、基地局中で実施例1、3〜13に記載のセルクラスタ変更方法を実行させる。
【０２２６】
本発明の実施例は更にコンピュータ可読プログラムを提供し、そのうち、制御器中で前記プログラムを実行する時に、前記プログラムは、コンピュータに、制御器中で実施例2に記載のセルクラスタ変更方法を実行させる。
【０２２７】
本発明の実施例は更にコンピュータ可読プログラムを記憶した記憶媒体を提供し、そのうち、前記コンピュータ可読プログラムは、コンピュータに、制御器中で実施例2に記載のセルクラスタ変更方法を実行させる。
【０２２８】
本発明の実施例は更にコンピュータ可読プログラムを提供し、そのうち、ユーザ装置中で前記プログラムを実行する時、前記プログラムは、コンピュータに、ユーザ装置中で実施例11〜12に記載の情報受信方法を実行させる。
【０２２９】
本発明の実施例は更にコンピュータ可読プログラムを記憶した記憶媒体を提供し、そのうち、前記コンピュータ可読プログラムは、コンピュータに、ユーザ装置中で施例11〜12に記載の情報受信方法を実行させる。
【０２３０】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、flashメモリなどにも関する。
【０２３１】
以上、本発明の好ましい実施形態を説明したが、本発明はこのような実施形態に限定されず、本発明の趣旨を離脱しない限り、本発明に対するあらゆる変更は本発明の技術的範囲に属する。
【手続補正２】
【補正対象書類名】特許請求の範囲
【補正対象項目名】全文
【補正方法】変更
【補正の内容】
【特許請求の範囲】
【請求項１】
基地局であって、
受信した、ネットワーク側制御器により送信された指示情報に基づいて、セルを１つのセルクラスタに加入させ、或いは、セルを前記セルの所在するセルクラスタを離れさせ、或いは、セルを前記セルの所在するセルクラスタからもう１つのセルクラスタに変更させるための処理ユニットを含む、基地局。
【請求項２】
請求項1に記載の基地局であって、
前記ネットワーク側制御器に要求メッセージを送信するための情報送信ユニットを更に含み、
前記要求メッセージは、前記セルが１つのセルクラスタに加入し、或いは、前記セルが前記セルの所在するセルクラスタを離れ、或いは、前記セルが前記セルの所在するセルクラスタからもう１つのセルクラスタに変更するように要求することを指示するために用いられる、基地局
【請求項３】
請求項1に記載の基地局であって、
前記セルの所在するセルクラスタの変化後に、前記基地局は、
前記セルのセルクラスタIDを更新するための情報更新ユニットを更に含む、基地局。
【請求項４】
請求項1に記載の基地局であって、
前記セルの所在するセルクラスタの変化後に、前記セルのセルIDが前記セルの所在するセルクラスタに関係し且つ前記セルの基地局及びユーザ装置の送信した物理信号に関係する時に、前記基地局は、
ユーザ装置に指示メッセージを送信するための第三送信ユニットであって、前記指示メッセージは、前記セルID、及び／又は、関連する上りリンク及び／又は下りリンクの送信信号の変更を指示するために用いられ、前記指示メッセージは、変更後のセルID、及び／又は、前記セルID及び／又は関連する上りリンク及び／又は下りリンクの送信信号を変更する時間を含む、第三送信ユニット；及び
前記時間に、前記セルID、及び／又は、関連する上りリンク及び／又は下りリンクの送信信号を変更するための第四送信ユニットを更に含む、基地局。
【請求項５】
請求項1に記載の基地局であって、
前記セルの所在するセルクラスタの変化後に、前記セルのセルIDが前記セルの所在するセルクラスタに関係し且つ前記セルの基地局及びユーザ装置の送信した物理信号に関係する時に、前記基地局は、
前記セルのユーザ装置を他のセルにハンドオーバーするための第一ハンドオーバーユニット；及び
セルIDを変更し、或いは、セルID及び対応するシステム情報及び／又はコモン信号を変更するための第一変更ユニットを更に含む、基地局。
【請求項６】
請求項1に記載の基地局であって、
前記セルの所在するセルクラスタの変化後に、前記セルのセルIDが前記セルの所在するセルクラスタに関係し且つ前記セルの基地局及びユーザ装置の送信した物理信号に関係する時に、前記基地局は、
前記セルの一部のサブフレーム上でユーザ装置のスケジューリングを停止するための第一スケジューリングユニット；
前記一部のサブフレーム上で、変更後のセルIDに対応するシステム情報及び／又はコモン信号を送信するための第五送信ユニット；及び
未変更のセルIDに対応するシステム情報及び／又はコモン信号を送信するサブフレームを変更するための第二変更ユニットであって、全てのサブフレームは、変更後のセルIDに対応するシステム情報及び／又はコモン信号を送信する、第二変更ユニットを更に含む、基地局。
【請求項７】
請求項6に記載の基地局であって、
前記第五送信ユニットがシステム情報及び／又はコモン信号を送信した後に、変更後のセルIDに対応するシステム情報及びコモン信号を送信するサブフレーム上で前記ユーザ装置をスケジューリングするための第二スケジューリングユニット；及び
前記第二変更ユニットがサブフレームを変更した後に、全てのサブフレーム上で前記ユーザ装置をスケジューリングするための第三スケジューリングユニットを更に含む、基地局。
【請求項８】
請求項6に記載の基地局であって、
ユーザ装置がセルID変更後のセルを捜索し、そして、サブフレームのパターンを用いてセルID変更後のセルを測定するように構成するための第一構成ユニット；或いは、
前記セルのユーザ装置をセルID変更後のセルにハンドオーバーし、或いは、測定結果に基づいて、ハンドオーバーを行う必要のあるユーザ装置をセルID変更後のセル或いは他のセルにハンドオーバーするための第二ハンドオーバーユニットを更に含む、基地局。
【請求項９】
請求項8に記載の基地局であって、
前記ユーザ装置に補助情報を提供するための情報提供ユニットを更に含み、
前記補助情報は、前記ユーザ装置がセルID未変更のセルを利用し得るタイミングを指示し、及び／又は、前記ユーザ装置がランダムアクセスプロセス中で元のセルの無線ネットワーク一時IDを用いてセルID変更後のセルにハンドオーバーし得ることを指示するために用いられ；或いは
前記補助情報は、前記ユーザ装置がセルID未変更のセルを使用し得るタイミングを指示し、前記ユーザ装置がランダムアクセスプロセス中で元のセルの無線ネットワーク一時IDを用いてセルID変更後のセルにハンドオーバーし得ること、及び、前記ユーザ装置がランダムアクセスプロセスを行わずセルID変更後のセルに直接アクセスすることを指示するために用いられる、基地局。
【請求項１０】
制御器であって、
セルの基地局に指示情報を送信するための情報送信ユニットを含み、
前記指示情報は、前記セルが１つのセルクラスタに加入し、或いは、前記セルが前記セルの所在するセルクラスタを離れ、或いは、前記セルが前記セルの所在するセルクラスタからもう１つのセルクラスタに変更することを指示するために用いられる、制御器。
【請求項１１】
請求項10に記載の制御器であって、
前記セルが送信した要求メッセージを受信するための情報受信ユニットを更に含み、
前記要求メッセージは、前記セルが１つのセルクラスタに加入し、或いは、前記セルが前記セルの所在するセルクラスタを離れ、或いは、前記セルが前記セルの所在するセルクラスタからもう１つのセルクラスタに変更するように要求することを指示するために用いられ、
前記情報送信ユニットは、前記要求メッセージに基づいて、前記指示情報を送信する、制御器。
【請求項１２】
請求項10に記載の制御器であって、
前記セルの所在するセルクラスタ中の他のセルに、前記セルが前記セルクラスタを離れ、及び／又は、前記セルが前記セルクラスタに加入することを通知するための情報通知ユニットを更に含み、
前記セルの所在するセルクラスタは、前記セルが既に離れた又は離れるつもりであるセルクラスタ、及び／又は、前記セルが加入するセルクラスタを含む、制御器。
【請求項１３】
基地局であって、
ターゲットセル或いはネットワーク側制御器にメッセージを送信するための第一送信ユニットであって、前記メッセージは、前記基地局のセルが前記ターゲットセルの所在するセルクラスタに加入し、及び／又は、前記ターゲットセルの所在するセルクラスタを離れるように要求することを指示するために用いられ、前記ターゲットセルは、前記セルが加入するつもりであるセルクラスタ中の１つ又は１つ以上のセル、及び／又は、前記セルが離れるつもりであるセルクラスタ中の他の１つ又は１つ以上のセルを含む、第一送信ユニット；及び
前記メッセージを送信した後に、或いは、前記ターゲットセルからの許可確認メッセージを受信した時に、前記セルを前記ターゲットセルの所在するセルクラスタに加入させ、及び／又は、前記ターゲットセルの所在するセルクラスタから離れさせるための第一処理ユニットを含む、基地局。
【請求項１４】
請求項13に記載の基地局であって、
前記セルに隣接する隣接セル、或いは、前記セルと同じであるセルクラスタに所在する他のセルに、前記セルの所在するセルクラスタの変化を示すメッセージを送信するための第二送信ユニットを更に含み、
前記セルの所在するセルクラスタは、前記セルが既に離れた又は離れるつもりであるセルクラスタ、及び／又は、前記セルが加入するセルクラスタを含む、基地局。
【請求項１５】
基地局であって、
セルの基地局が送信したメッセージを受信するための受信ユニットを含み、
前記メッセージは、前記セルがターゲットセルの所在するセルクラスタに加入し、及び／又は、ターゲットセルの所在するセルクラスタを離れるように要求することを指示するために用いられ、
前記ターゲットセルは、前記セルが加入するつもりであるセルクラスタ中の１つ又は１つ以上のセル、及び／又は、前記セルが離れるつもりであるセルクラスタ中の他の１つ又は１つ以上のセルを含む、基地局。
【請求項１６】
基地局であって、
セルの基地局又はターゲットセルの基地局が送信した、前記セルの所在するセルクラスタの変化を示すためのメッセージを受信するための第一受信ユニットであって、前記ターゲットセルは、前記セルが加入するつもりであるセルクラスタ中の１つ又は１つ以上のセル、及び／又は、前記セルが離れるつもりであるセルクラスタ中の他の１つ又は１つ以上のセルを含み、前記セルの所在するセルクラスタは、前記セルが既に離れた又は離れるつもりであるセルクラスタ、及び／又は、前記セルが加入するセルクラスタを含む、第一受信ユニット；及び
前記基地局のセルに、前記セルが前記セルクラスタを離れ、及び／又は、前記セルクラスタに加入すること、及び／又は、前記セルのセルクラスタの変化の状況を通知するための第一通知ユニットを含む、基地局。
【請求項１７】
ユーザ装置であって、
セルの所在するセルクラスタの変化時に、前記セルの基地局が送信した指示情報を受信するための第二受信ユニットであって、前記指示メッセージは、セルID、及び／又は、関連する上りリンク及び／又は下りリンクの送信信号の変更を指示するために用いられ、前記指示メッセージは、変更後のセルID、及び／又は、前記セルID及び／又は関連する上りリンク及び／又は下りリンクの送信信号を変更する時間を含む、第二受信ユニット；及び
前記指示メッセージが指示した前記時間に、前記変更後のセルIDを用いて、前記セルの基地局が送信したシステム情報、及び／又は、コモン信号、及び／又は、下りリンク制御信号を受信し、及び／又は、前記ユーザ装置の上りリンク信号中のセルIDに関係するスクランブリングシーケンス又は参照信号シーケンスを変更するための第六送信ユニットを含む、ユーザ装置。
【請求項１８】
ユーザ装置であって、
前記ユーザ装置のセルの所在するセルクラスタが変化し、前記ユーザ装置が前記セルから他のセルにハンドオーバーする時に、前記他のセルの基地局が前記ユーザ装置に送信した補助情報を受信するための第三受信ユニットを含み、
前記補助情報は、前記ユーザ装置がセルID未変更のセルを使用し得るタイミングを指示し、及び／又は、前記ユーザ装置がランダムアクセスプロセス中で元のセルの無線ネットワーク一時IDを用いてセルID変更後のセルにハンドオーバーし得ることを指示するために用いられ；或いは
前記補助情報は、前記ユーザ装置がセルID未変更のセルを使用し得るタイミングを指示し、前記ユーザ装置がランダムアクセスプロセス中で元のセルの無線ネットワーク一時IDを用いてセルID変更後のセルにハンドオーバーし得ること、及び、前記ユーザ装置がランダムアクセスプロセスを行わずセルID変更後のセルに直接アクセスすることを指示するために用いられる、ユーザ装置。
【国際調査報告】
2016530836.tif 000021
2016530836.tif 000022
2016530836.tif 000023
2016530836.tif 000024